(57)【要約】【課題】胃癌の状態を知る上で参考となり得る信頼性の高い情報を提供することができる評価方法などを提供することを課題とする。【解決手段】本実施形態では、評価対象の血液中の３２種類の代謝物（１−Ｍｅ−Ｈｉｓ、３−Ｈｙｄｒｏｘｙｋｙｎｕｒｅｎｉｎｅ、３−Ｍｅ−Ｈｉｓ、５−ＨｙｄｒｏｘｙＴｒｐ、ａＡＢＡ、ａＡｉＢＡ、ＡＤＭＡ、Ａｍｉｎｏａｄｉｐｉｃ  ａｃｉｄなど）のうちの少なくとも１つの濃度値を用いて、評価対象について、胃癌の状態を評価する。【選択図】図１
2019184257.tif 000002
【特許請求の範囲】
【請求項１】
評価対象の血液中の１−Ｍｅ−Ｈｉｓ、３−Ｈｙｄｒｏｘｙｋｙｎｕｒｅｎｉｎｅ、３−Ｍｅ−Ｈｉｓ、５−ＨｙｄｒｏｘｙＴｒｐ、ａＡＢＡ、ａＡｉＢＡ、ＡＤＭＡ、Ａｍｉｎｏａｄｉｐｉｃ  ａｃｉｄ、ｂＡＢＡ、ｂＡｉＢＡ、Ｃａｄａｖｅｒｉｎｅ、ＧＡＢＡ、Ｈｏｍｏａｒｇｉｎｉｎｅ、Ｈｏｍｏｃｉｔｒｕｌｌｉｎｅ、Ｈｙｐｏｔａｕｒｉｎｅ、Ｈｙｄｒｏｘｙｐｒｏｌｉｎｅ、Ｋｉｎｕｒｅｎｉｎｅ、Ｌ−Ｃｙｓｔａｔｈｉｏｎｉｎｅ、Ｎ８−Ａｃｅｔｙｌｓｐｅｒｍｉｄｉｎｅ、Ｐｉｐｅｃｏｌｉｃ  ａｃｉｄ、Ｐｕｔｒｅｓｃｉｎｅ、ＳＡＨ、Ｓａｒｃｏｓｉｎｅ、Ｓｅｒｏｔｏｎｉｎ、Ｓｐｅｒｍｉｄｉｎｅ、Ｓｐｅｒｍｉｎｅ、Ｍｅｔｈｙｌｃｙｓｔｅｉｎｅ、Ａｌｌｙｌｃｙｓｔｅｉｎｅ、Ｐｒｏｐｙｌｃｙｓｔｅｉｎｅ、ＳＤＭＡ、Ｎ６−Ａｃｅｔｙｌ−Ｌ−ＬｙｓおよびＮ−Ｍｅ−ｂＡＢＡのうちの少なくとも１つの代謝物の濃度値、または、前記代謝物の濃度値が代入される変数を含む式および前記代謝物の濃度値を用いて算出された前記式の値を用いて、前記評価対象について、胃癌の状態を評価する評価ステップを含むこと、
を特徴とする評価方法。
【請求項２】
前記評価ステップでは、前記代謝物の濃度値および前記評価対象の血液中のＧｌｕ、Ａｓｎ、Ｈｉｓ、Ｔｈｒ、Ａｌａ、Ｃｉｔ、Ａｒｇ、Ｔｙｒ、Ｖａｌ、Ｍｅｔ、Ｌｙｓ、Ｔｒｐ、Ｇｌｙ、Ｐｒｏ、Ｏｒｎ、Ｉｌｅ、Ｌｅｕ、Ｐｈｅ、ＳｅｒおよびＧｌｎのうちの少なくとも１つのアミノ酸の濃度値、または、前記アミノ酸の濃度値が代入される変数を含む前記式、前記代謝物の濃度値および前記アミノ酸の濃度値を用いて算出された前記式の値を用いること、
を特徴とする請求項１に記載の評価方法。
【請求項３】
前記評価ステップは、制御部を備えた情報処理装置の前記制御部において実行されること、
を特徴とする請求項１または２に記載の評価方法。
【請求項４】
評価対象の血液中の１−Ｍｅ−Ｈｉｓ、３−Ｈｙｄｒｏｘｙｋｙｎｕｒｅｎｉｎｅ、３−Ｍｅ−Ｈｉｓ、５−ＨｙｄｒｏｘｙＴｒｐ、ａＡＢＡ、ａＡｉＢＡ、ＡＤＭＡ、Ａｍｉｎｏａｄｉｐｉｃ  ａｃｉｄ、ｂＡＢＡ、ｂＡｉＢＡ、Ｃａｄａｖｅｒｉｎｅ、ＧＡＢＡ、Ｈｏｍｏａｒｇｉｎｉｎｅ、Ｈｏｍｏｃｉｔｒｕｌｌｉｎｅ、Ｈｙｐｏｔａｕｒｉｎｅ、Ｈｙｄｒｏｘｙｐｒｏｌｉｎｅ、Ｋｉｎｕｒｅｎｉｎｅ、Ｌ−Ｃｙｓｔａｔｈｉｏｎｉｎｅ、Ｎ８−Ａｃｅｔｙｌｓｐｅｒｍｉｄｉｎｅ、Ｐｉｐｅｃｏｌｉｃ  ａｃｉｄ、Ｐｕｔｒｅｓｃｉｎｅ、ＳＡＨ、Ｓａｒｃｏｓｉｎｅ、Ｓｅｒｏｔｏｎｉｎ、Ｓｐｅｒｍｉｄｉｎｅ、Ｓｐｅｒｍｉｎｅ、Ｍｅｔｈｙｌｃｙｓｔｅｉｎｅ、Ａｌｌｙｌｃｙｓｔｅｉｎｅ、Ｐｒｏｐｙｌｃｙｓｔｅｉｎｅ、ＳＤＭＡ、Ｎ６−Ａｃｅｔｙｌ−Ｌ−ＬｙｓおよびＮ−Ｍｅ−ｂＡＢＡのうちの少なくとも１つの代謝物の濃度値、および、前記代謝物の濃度値が代入される変数を含む胃癌の状態を評価するための式を用いて、前記式の値を算出する算出ステップを含むこと、
を特徴とする算出方法。
【請求項５】
前記算出ステップでは、前記評価対象の血液中のＧｌｕ、Ａｓｎ、Ｈｉｓ、Ｔｈｒ、Ａｌａ、Ｃｉｔ、Ａｒｇ、Ｔｙｒ、Ｖａｌ、Ｍｅｔ、Ｌｙｓ、Ｔｒｐ、Ｇｌｙ、Ｐｒｏ、Ｏｒｎ、Ｉｌｅ、Ｌｅｕ、Ｐｈｅ、ＳｅｒおよびＧｌｎのうちの少なくとも１つのアミノ酸の濃度値が代入される変数を含む前記式、前記代謝物の濃度値および前記アミノ酸の濃度値を用いること、
を特徴とする請求項４に記載の算出方法。
【請求項６】
前記算出ステップは、制御部を備えた情報処理装置の前記制御部において実行されること、
を特徴とする請求項４または５に記載の算出方法。
【請求項７】
制御部を備える評価装置であって、
前記制御部は、
評価対象の血液中の１−Ｍｅ−Ｈｉｓ、３−Ｈｙｄｒｏｘｙｋｙｎｕｒｅｎｉｎｅ、３−Ｍｅ−Ｈｉｓ、５−ＨｙｄｒｏｘｙＴｒｐ、ａＡＢＡ、ａＡｉＢＡ、ＡＤＭＡ、Ａｍｉｎｏａｄｉｐｉｃ  ａｃｉｄ、ｂＡＢＡ、ｂＡｉＢＡ、Ｃａｄａｖｅｒｉｎｅ、ＧＡＢＡ、Ｈｏｍｏａｒｇｉｎｉｎｅ、Ｈｏｍｏｃｉｔｒｕｌｌｉｎｅ、Ｈｙｐｏｔａｕｒｉｎｅ、Ｈｙｄｒｏｘｙｐｒｏｌｉｎｅ、Ｋｉｎｕｒｅｎｉｎｅ、Ｌ−Ｃｙｓｔａｔｈｉｏｎｉｎｅ、Ｎ８−Ａｃｅｔｙｌｓｐｅｒｍｉｄｉｎｅ、Ｐｉｐｅｃｏｌｉｃ  ａｃｉｄ、Ｐｕｔｒｅｓｃｉｎｅ、ＳＡＨ、Ｓａｒｃｏｓｉｎｅ、Ｓｅｒｏｔｏｎｉｎ、Ｓｐｅｒｍｉｄｉｎｅ、Ｓｐｅｒｍｉｎｅ、Ｍｅｔｈｙｌｃｙｓｔｅｉｎｅ、Ａｌｌｙｌｃｙｓｔｅｉｎｅ、Ｐｒｏｐｙｌｃｙｓｔｅｉｎｅ、ＳＤＭＡ、Ｎ６−Ａｃｅｔｙｌ−Ｌ−ＬｙｓおよびＮ−Ｍｅ−ｂＡＢＡのうちの少なくとも１つの代謝物の濃度値、または、前記代謝物の濃度値が代入される変数を含む式および前記代謝物の濃度値を用いて算出された前記式の値を用いて、前記評価対象について、胃癌の状態を評価する評価手段
を備えること、
を特徴とする評価装置。
【請求項８】
前記濃度値に関する濃度データまたは前記式の値を提供する端末装置とネットワークを介して通信可能に接続され、
前記制御部は、
前記端末装置から送信された前記評価対象の前記濃度データまたは前記式の値を受信するデータ受信手段と、
前記評価手段で得られた評価結果を前記端末装置へ送信する結果送信手段と、
をさらに備え、
前記評価手段は、前記データ受信手段で受信した前記濃度データに含まれている前記濃度値または前記式の値を用いること、
を特徴とする請求項７に記載の評価装置。
【請求項９】
制御部を備える算出装置であって、
前記制御部は、
評価対象の血液中の１−Ｍｅ−Ｈｉｓ、３−Ｈｙｄｒｏｘｙｋｙｎｕｒｅｎｉｎｅ、３−Ｍｅ−Ｈｉｓ、５−ＨｙｄｒｏｘｙＴｒｐ、ａＡＢＡ、ａＡｉＢＡ、ＡＤＭＡ、Ａｍｉｎｏａｄｉｐｉｃ  ａｃｉｄ、ｂＡＢＡ、ｂＡｉＢＡ、Ｃａｄａｖｅｒｉｎｅ、ＧＡＢＡ、Ｈｏｍｏａｒｇｉｎｉｎｅ、Ｈｏｍｏｃｉｔｒｕｌｌｉｎｅ、Ｈｙｐｏｔａｕｒｉｎｅ、Ｈｙｄｒｏｘｙｐｒｏｌｉｎｅ、Ｋｉｎｕｒｅｎｉｎｅ、Ｌ−Ｃｙｓｔａｔｈｉｏｎｉｎｅ、Ｎ８−Ａｃｅｔｙｌｓｐｅｒｍｉｄｉｎｅ、Ｐｉｐｅｃｏｌｉｃ  ａｃｉｄ、Ｐｕｔｒｅｓｃｉｎｅ、ＳＡＨ、Ｓａｒｃｏｓｉｎｅ、Ｓｅｒｏｔｏｎｉｎ、Ｓｐｅｒｍｉｄｉｎｅ、Ｓｐｅｒｍｉｎｅ、Ｍｅｔｈｙｌｃｙｓｔｅｉｎｅ、Ａｌｌｙｌｃｙｓｔｅｉｎｅ、Ｐｒｏｐｙｌｃｙｓｔｅｉｎｅ、ＳＤＭＡ、Ｎ６−Ａｃｅｔｙｌ−Ｌ−ＬｙｓおよびＮ−Ｍｅ−ｂＡＢＡのうちの少なくとも１つの代謝物の濃度値、および、前記代謝物の濃度値が代入される変数を含む胃癌の状態を評価するための式を用いて、前記式の値を算出する算出手段
を備えること、
を特徴とする算出装置。
【請求項１０】
制御部を備える情報処理装置において実行させるための評価プログラムであって、
前記制御部において実行させるための、
評価対象の血液中の１−Ｍｅ−Ｈｉｓ、３−Ｈｙｄｒｏｘｙｋｙｎｕｒｅｎｉｎｅ、３−Ｍｅ−Ｈｉｓ、５−ＨｙｄｒｏｘｙＴｒｐ、ａＡＢＡ、ａＡｉＢＡ、ＡＤＭＡ、Ａｍｉｎｏａｄｉｐｉｃ  ａｃｉｄ、ｂＡＢＡ、ｂＡｉＢＡ、Ｃａｄａｖｅｒｉｎｅ、ＧＡＢＡ、Ｈｏｍｏａｒｇｉｎｉｎｅ、Ｈｏｍｏｃｉｔｒｕｌｌｉｎｅ、Ｈｙｐｏｔａｕｒｉｎｅ、Ｈｙｄｒｏｘｙｐｒｏｌｉｎｅ、Ｋｉｎｕｒｅｎｉｎｅ、Ｌ−Ｃｙｓｔａｔｈｉｏｎｉｎｅ、Ｎ８−Ａｃｅｔｙｌｓｐｅｒｍｉｄｉｎｅ、Ｐｉｐｅｃｏｌｉｃ  ａｃｉｄ、Ｐｕｔｒｅｓｃｉｎｅ、ＳＡＨ、Ｓａｒｃｏｓｉｎｅ、Ｓｅｒｏｔｏｎｉｎ、Ｓｐｅｒｍｉｄｉｎｅ、Ｓｐｅｒｍｉｎｅ、Ｍｅｔｈｙｌｃｙｓｔｅｉｎｅ、Ａｌｌｙｌｃｙｓｔｅｉｎｅ、Ｐｒｏｐｙｌｃｙｓｔｅｉｎｅ、ＳＤＭＡ、Ｎ６−Ａｃｅｔｙｌ−Ｌ−ＬｙｓおよびＮ−Ｍｅ−ｂＡＢＡのうちの少なくとも１つの代謝物の濃度値、または、前記代謝物の濃度値が代入される変数を含む式および前記代謝物の濃度値を用いて算出された前記式の値を用いて、前記評価対象について、胃癌の状態を評価する評価ステップ
を含むこと、
を特徴とする評価プログラム。
【請求項１１】
制御部を備える情報処理装置において実行させるための算出プログラムであって、
前記制御部において実行させるための、
評価対象の血液中の１−Ｍｅ−Ｈｉｓ、３−Ｈｙｄｒｏｘｙｋｙｎｕｒｅｎｉｎｅ、３−Ｍｅ−Ｈｉｓ、５−ＨｙｄｒｏｘｙＴｒｐ、ａＡＢＡ、ａＡｉＢＡ、ＡＤＭＡ、Ａｍｉｎｏａｄｉｐｉｃ  ａｃｉｄ、ｂＡＢＡ、ｂＡｉＢＡ、Ｃａｄａｖｅｒｉｎｅ、ＧＡＢＡ、Ｈｏｍｏａｒｇｉｎｉｎｅ、Ｈｏｍｏｃｉｔｒｕｌｌｉｎｅ、Ｈｙｐｏｔａｕｒｉｎｅ、Ｈｙｄｒｏｘｙｐｒｏｌｉｎｅ、Ｋｉｎｕｒｅｎｉｎｅ、Ｌ−Ｃｙｓｔａｔｈｉｏｎｉｎｅ、Ｎ８−Ａｃｅｔｙｌｓｐｅｒｍｉｄｉｎｅ、Ｐｉｐｅｃｏｌｉｃ  ａｃｉｄ、Ｐｕｔｒｅｓｃｉｎｅ、ＳＡＨ、Ｓａｒｃｏｓｉｎｅ、Ｓｅｒｏｔｏｎｉｎ、Ｓｐｅｒｍｉｄｉｎｅ、Ｓｐｅｒｍｉｎｅ、Ｍｅｔｈｙｌｃｙｓｔｅｉｎｅ、Ａｌｌｙｌｃｙｓｔｅｉｎｅ、Ｐｒｏｐｙｌｃｙｓｔｅｉｎｅ、ＳＤＭＡ、Ｎ６−Ａｃｅｔｙｌ−Ｌ−ＬｙｓおよびＮ−Ｍｅ−ｂＡＢＡのうちの少なくとも１つの代謝物の濃度値、および、前記代謝物の濃度値が代入される変数を含む胃癌の状態を評価するための式を用いて、前記式の値を算出する算出ステップ
を含むこと、
を特徴とする算出プログラム。
【請求項１２】
請求項１０または１１に記載のプログラムを記録したコンピュータ読み取り可能な記録媒体。
【請求項１３】
制御部を備える評価装置と、制御部を備え、評価対象の血液中の１−Ｍｅ−Ｈｉｓ、３−Ｈｙｄｒｏｘｙｋｙｎｕｒｅｎｉｎｅ、３−Ｍｅ−Ｈｉｓ、５−ＨｙｄｒｏｘｙＴｒｐ、ａＡＢＡ、ａＡｉＢＡ、ＡＤＭＡ、Ａｍｉｎｏａｄｉｐｉｃ  ａｃｉｄ、ｂＡＢＡ、ｂＡｉＢＡ、Ｃａｄａｖｅｒｉｎｅ、ＧＡＢＡ、Ｈｏｍｏａｒｇｉｎｉｎｅ、Ｈｏｍｏｃｉｔｒｕｌｌｉｎｅ、Ｈｙｐｏｔａｕｒｉｎｅ、Ｈｙｄｒｏｘｙｐｒｏｌｉｎｅ、Ｋｉｎｕｒｅｎｉｎｅ、Ｌ−Ｃｙｓｔａｔｈｉｏｎｉｎｅ、Ｎ８−Ａｃｅｔｙｌｓｐｅｒｍｉｄｉｎｅ、Ｐｉｐｅｃｏｌｉｃ  ａｃｉｄ、Ｐｕｔｒｅｓｃｉｎｅ、ＳＡＨ、Ｓａｒｃｏｓｉｎｅ、Ｓｅｒｏｔｏｎｉｎ、Ｓｐｅｒｍｉｄｉｎｅ、Ｓｐｅｒｍｉｎｅ、Ｍｅｔｈｙｌｃｙｓｔｅｉｎｅ、Ａｌｌｙｌｃｙｓｔｅｉｎｅ、Ｐｒｏｐｙｌｃｙｓｔｅｉｎｅ、ＳＤＭＡ、Ｎ６−Ａｃｅｔｙｌ−Ｌ−ＬｙｓおよびＮ−Ｍｅ−ｂＡＢＡのうちの少なくとも１つの代謝物の濃度値に関する濃度データ、または、前記代謝物の濃度値が代入される変数を含む式および前記代謝物の濃度値を用いて算出された前記式の値を提供する端末装置とを、ネットワークを介して通信可能に接続して構成される評価システムであって、
前記端末装置の前記制御部は、
前記評価対象の前記濃度データまたは前記式の値を前記評価装置へ送信するデータ送信手段と、
前記評価装置から送信された、前記評価対象についての胃癌の状態に関する評価結果を受信する結果受信手段と、
を備え、
前記評価装置の前記制御部は、
前記端末装置から送信された前記評価対象の前記濃度データまたは前記式の値を受信するデータ受信手段と、
前記データ受信手段で受信した前記評価対象の前記濃度データに含まれている前記代謝物の濃度値または前記式の値を用いて、前記評価対象について、胃癌の状態を評価する評価手段と、
前記評価手段で得られた前記評価結果を前記端末装置へ送信する結果送信手段と、
を備えること、
を特徴とする評価システム。
【請求項１４】
制御部を備えた端末装置であって、
前記制御部は、
評価対象についての胃癌の状態に関する評価結果を取得する結果取得手段
を備え、
前記評価結果は、前記評価対象の血液中の１−Ｍｅ−Ｈｉｓ、３−Ｈｙｄｒｏｘｙｋｙｎｕｒｅｎｉｎｅ、３−Ｍｅ−Ｈｉｓ、５−ＨｙｄｒｏｘｙＴｒｐ、ａＡＢＡ、ａＡｉＢＡ、ＡＤＭＡ、Ａｍｉｎｏａｄｉｐｉｃ  ａｃｉｄ、ｂＡＢＡ、ｂＡｉＢＡ、Ｃａｄａｖｅｒｉｎｅ、ＧＡＢＡ、Ｈｏｍｏａｒｇｉｎｉｎｅ、Ｈｏｍｏｃｉｔｒｕｌｌｉｎｅ、Ｈｙｐｏｔａｕｒｉｎｅ、Ｈｙｄｒｏｘｙｐｒｏｌｉｎｅ、Ｋｉｎｕｒｅｎｉｎｅ、Ｌ−Ｃｙｓｔａｔｈｉｏｎｉｎｅ、Ｎ８−Ａｃｅｔｙｌｓｐｅｒｍｉｄｉｎｅ、Ｐｉｐｅｃｏｌｉｃ  ａｃｉｄ、Ｐｕｔｒｅｓｃｉｎｅ、ＳＡＨ、Ｓａｒｃｏｓｉｎｅ、Ｓｅｒｏｔｏｎｉｎ、Ｓｐｅｒｍｉｄｉｎｅ、Ｓｐｅｒｍｉｎｅ、Ｍｅｔｈｙｌｃｙｓｔｅｉｎｅ、Ａｌｌｙｌｃｙｓｔｅｉｎｅ、Ｐｒｏｐｙｌｃｙｓｔｅｉｎｅ、ＳＤＭＡ、Ｎ６−Ａｃｅｔｙｌ−Ｌ−ＬｙｓおよびＮ−Ｍｅ−ｂＡＢＡのうちの少なくとも１つの代謝物の濃度値、または、前記代謝物の濃度値が代入される変数を含む式および前記代謝物の濃度値を用いて算出された前記式の値を用いて、前記評価対象について、胃癌の状態を評価した結果であること、
を特徴とする端末装置。
【請求項１５】
前記評価対象について胃癌の状態を評価する評価装置とネットワークを介して通信可能に接続されており、
前記制御部は、前記評価対象の血液中の前記代謝物の濃度値に関する濃度データまたは前記式の値を前記評価装置へ送信するデータ送信手段を備え、
前記結果取得手段は、前記評価装置から送信された前記評価結果を受信すること、
を特徴とする請求項１４に記載の端末装置。
【発明の詳細な説明】
【技術分野】
【０００１】
本発明は、胃癌の評価方法、算出方法、評価装置、算出装置、評価プログラム、算出プログラム、記録媒体、評価システム、及び端末装置に関するものである。
【背景技術】
【０００２】
日本における胃癌による死亡は、２００３年で男３２８４６人・女１７７１１人で、全ての癌による死亡の総数のうち２位で、男では癌による死亡の第２位、女性では癌による死亡の１位となっている。
【０００３】
胃癌の治療は、腫瘍が粘膜と粘膜下層に限局している場合は予後がよく、初期（Ｉ〜ＩＩ期）の胃癌の５年生存率は５０％以上、特にＩＡ期の胃癌（深達度が粘膜及び粘膜下層でリンパ節転移がないもの）では５年生存率は約９０％である。
【０００４】
しかし、胃癌の病期の進行とともに生存率は低下するため、早期発見が胃癌治癒にとっては重要である。
【０００５】
ここで、胃癌の診断には、ペプシノゲン検査、Ｘ線検査、内視鏡検査、腫瘍マーカーなどがある。
【０００６】
しかし、ペプシノゲン検査、Ｘ線検査、腫瘍マーカーは確定診断とはならない。例えばペプシノゲン検査の場合、侵襲性は低いが、感度は報告により異なり概ね４０〜８５％で、特異度は７０〜８５％である。しかし、ペプシノゲン検査での要精密検査率は２０％であり、見逃しも多いと考えられている。また、Ｘ線検査（間接撮影）の場合、感度は報告より異なるが概ね７０〜８０％で、特異度は８５〜９０％である。しかし、バリウム飲用による副作用や放射線被爆の可能性がある。なお、腫瘍マーカーについては、現時点では胃癌の存在診断に有効なものは存在しない。
【０００７】
一方、内視鏡検査は確定診断になるが、侵襲度の高い検査であり、スクリーニングの段階で内視鏡検査を行うことは現実的ではない。さらに、内視鏡検査のような侵襲的診断では、患者が苦痛を伴うなど負担があり、また検査による出血などのリスクも起こりえる。
【０００８】
そこで、患者に対する身体的負担および費用対効果の面から、胃癌発症の可能性の高い被験者を絞り込んで、その者を治療の対象とすることが望ましい。具体的には、侵襲が少なく且つ感度・特異度の高い方法で被験者を選択し、選択した被験者に対し胃内視鏡を実施することで被験者を絞り込み、胃癌の確定診断が得られた被験者を治療の対象とすることが望ましい。
【０００９】
ところで、血中アミノ酸の濃度が、癌発症により変化することについては知られている。例えば、シノベールによれば（非特許文献１）、例えばグルタミンは主に酸化エネルギー源として、アルギニンは窒素酸化物やポリアミンの前駆体として、メチオニンは癌細胞がメチオニン取り込み能の活性化により、それぞれ癌細胞での消費量が増加するという報告がある。また、ヴィッセルスら（非特許文献２）やパーク（非特許文献３）によれば、大腸癌患者の血漿中アミノ酸組成は健常者と異なっていることが報告されている。
【００１０】
また、先行特許として、アミノ酸濃度を用いて胃癌の状態を評価する方法に関する特許文献１が公開されている。
【先行技術文献】
【特許文献】
【００１１】
【特許文献１】国際公開第２００９／０９９００５号
【非特許文献】
【００１２】
【非特許文献１】Cynober,  L.  ed.,  Metabolic  and  therapeutic  aspects  of  amino  acids  in  clinical  nutrition.  2nd  ed.,  CRC  Press
【非特許文献２】Vissers,  Y.  LJ.,  et.al.,  Plasma  arginine  concentration  are  reduced  in  cancer  patients:  evidence  for  arginine  deficiency?,  The  American  Journal  of  Clinical  Nutrition,  2005.  81,  p1142-1146
【非特許文献３】Park,  K.G.,  et.al.,  Arginine  metabolism  in  benign  and  maglinant  disease  of  breast  and  colon:  evidence  for  possible  inhibition  of  tumor-infiltrating  macropharges.,  Nutrition,  1991.  7,  p.185-188
【発明の概要】
【発明が解決しようとする課題】
【００１３】
しかしながら、これまでに、血液中の代謝物を腫瘍マーカーとして胃癌を診断する技術の開発は、行われていない、実用化されていない、又は精度が十分でないという問題点があった。
【００１４】
本発明は、上記に鑑みてなされたもので、胃癌の状態を知る上で参考となり得る信頼性の高い情報を提供することができる評価方法、算出方法、評価装置、算出装置、評価プログラム、算出プログラム、記録媒体、評価システムおよび端末装置を提供することを目的とする。
【課題を解決するための手段】
【００１５】
上述した課題を解決し、目的を達成するために、本発明にかかる評価方法は、評価対象の血液中の３２種類の代謝物（１−Ｍｅ−Ｈｉｓ（１−ｍｅｔｈｙｌ−ｈｉｓｔｉｄｉｎｅ）（１-メチルヒスチジン）、３−Ｈｙｄｒｏｘｙｋｙｎｕｒｅｎｉｎｅ（３−ヒドロキシキヌレニン）、３−Ｍｅ−Ｈｉｓ（３−ｍｅｔｈｙｌ−ｈｉｓｔｉｄｉｎｅ）（３-メチルヒスチジン）、５−ＨｙｄｒｏｘｙＴｒｐ（５−ヒドロキシトルプトファン）、ａＡＢＡ（α-アミノ酪酸）、ａＡｉＢＡ（α−ａｍｉｎｏ−ｉｓｏ−ｂｕｔｙｒｉｃ  ａｃｉｄ）（α-アミノイソ酪酸）、ＡＤＭＡ（ａｓｙｍｍｅｔｒｉｃ  ｄｉｍｅｔｈｙｌａｒｇｉｎｉｎｅ）（非対称性ジメチルアルギニン）、Ａｍｉｎｏａｄｉｐｉｃ  ａｃｉｄ（α−アミノアジピン酸）、ｂＡＢＡ（β−ａｍｉｎｏｂｕｔｙｒｉｃ  ａｃｉｄ）（β-アミノ酪酸）、ｂＡｉＢＡ（β−ａｍｉｎｏ−ｉｓｏ−ｂｕｔｙｒｉｃ  ａｃｉｄ）（β-アミノイソ酪酸）、Ｃａｄａｖｅｒｉｎｅ（カダベリン）、ＧＡＢＡ（γ−ａｍｉｎｏｂｕｔｙｒｉｃ  ａｃｉｄ）（γ-アミノ酪酸）、Ｈｏｍｏａｒｇｉｎｉｎｅ（ホモアルギニン）、Ｈｏｍｏｃｉｔｒｕｌｌｉｎｅ（ホモシトルリン）、Ｈｙｐｏｔａｕｒｉｎｅ（ヒポタウリン）、Ｈｙｄｒｏｘｙｐｒｏｌｉｎｅ（ヒドロキシプロリン）、Ｋｉｎｕｒｅｎｉｎｅ（キヌレニン）、Ｌ−Ｃｙｓｔａｔｈｉｏｎｉｎｅ（Ｌ−シスタチオニン）、Ｎ８−Ａｃｅｔｙｌｓｐｅｒｍｉｄｉｎｅ（Ｎ８−アセチルスペルミジン）、Ｐｉｐｅｃｏｌｉｃ  ａｃｉｄ（ピペコリン酸）、Ｐｕｔｒｅｓｃｉｎｅ（プトレシン）、ＳＡＨ（Ｓ−Ａｄｅｎｏｓｙｌｈｏｍｏｃｙｓｔｅｉｎｅ）（Ｓ−アデノシルホモシステイン）、Ｓａｒｃｏｓｉｎｅ（サルコシン）、Ｓｅｒｏｔｏｎｉｎ（セロトニン）、Ｓｐｅｒｍｉｄｉｎｅ（スペルミジン）、Ｓｐｅｒｍｉｎｅ（スペルミン）、Ｍｅｔｈｙｌｃｙｓｔｅｉｎｅ（メチルシステイン）、Ａｌｌｙｌｃｙｓｔｅｉｎｅ（アリルシステイン）、Ｐｒｏｐｙｌｃｙｓｔｅｉｎｅ（プロピルシステイン）、ＳＤＭＡ（ｓｙｍｍｅｔｒｉｃ  ｄｉｍｅｔｈｙｌａｒｇｉｎｉｎｅ）（対称性ジメチルアルギニン）、Ｎ６−Ａｃｅｔｙｌ−Ｌ−Ｌｙｓ（Ｎ６−Ａｃｅｔｙｌ−Ｌ−Ｌｙｓｉｎｅ）（Ｎ６−アセチル−Ｌ−リジン）およびＮ−Ｍｅ−ｂＡＢＡ（Ｎ−ｍｅｔｈｙｌ−β−ａｍｉｎｏｂｕｔｙｒｉｃ  ａｃｉｄ）（Ｎ-メチル-β-アミノ酪酸））のうちの少なくとも１つの代謝物の濃度値、または、前記代謝物の濃度値が代入される変数を含む式および前記代謝物の濃度値を用いて算出された前記式の値を用いて、前記評価対象について、胃癌の状態を評価する評価ステップを含むこと、を特徴とするものである。
【００１６】
また、本発明にかかる評価方法は、前記評価ステップでは、前記代謝物の濃度値および前記評価対象の血液中の２０種類のアミノ酸（Ｇｌｕ、Ａｓｎ、Ｈｉｓ、Ｔｈｒ、Ａｌａ、Ｃｉｔ、Ａｒｇ、Ｔｙｒ、Ｖａｌ、Ｍｅｔ、Ｌｙｓ、Ｔｒｐ、Ｇｌｙ、Ｐｒｏ、Ｏｒｎ、Ｉｌｅ、Ｌｅｕ、Ｐｈｅ、ＳｅｒおよびＧｌｎ）のうちの少なくとも１つのアミノ酸の濃度値、または、前記アミノ酸の濃度値が代入される変数を含む前記式、前記代謝物の濃度値および前記アミノ酸の濃度値を用いて算出された前記式の値を用いること、を特徴とするものである。
【００１７】
ここで、本明細書では各種アミノ酸を主に略称で表記するが、それらの正式名称は以下の通りである。
（略称）  （正式名称）
Ａｌａ    Ａｌａｎｉｎｅ
Ａｒｇ    Ａｒｇｉｎｉｎｅ
Ａｓｎ    Ａｓｐａｒａｇｉｎｅ
Ｃｉｔ    Ｃｉｔｒｕｌｌｉｎｅ
Ｇｌｎ    Ｇｌｕｔａｍｉｎｅ
Ｇｌｕ    Ｇｌｕｔａｍｉｃ  ａｃｉｄ
Ｇｌｙ    Ｇｌｙｃｉｎｅ
Ｈｉｓ    Ｈｉｓｔｉｄｉｎｅ
Ｉｌｅ    Ｉｓｏｌｅｕｃｉｎｅ
Ｌｅｕ    Ｌｅｕｃｉｎｅ
Ｌｙｓ    Ｌｙｓｉｎｅ
Ｍｅｔ    Ｍｅｔｈｉｏｎｉｎｅ
Ｏｒｎ    Ｏｒｎｉｔｈｉｎｅ
Ｐｈｅ    Ｐｈｅｎｙｌａｌａｎｉｎｅ
Ｐｒｏ    Ｐｒｏｌｉｎｅ
Ｓｅｒ    Ｓｅｒｉｎｅ
Ｔｈｒ    Ｔｈｒｅｏｎｉｎｅ
Ｔｒｐ    Ｔｒｙｐｔｏｐｈａｎ
Ｔｙｒ    Ｔｙｒｏｓｉｎｅ
Ｖａｌ    Ｖａｌｉｎｅ
【００１８】
また、本発明にかかる評価方法は、前記評価ステップが、制御部を備えた情報処理装置の前記制御部において実行されること、を特徴とするものである。
【００１９】
また、本発明にかかる算出方法は、評価対象の血液中の前記３２種類の代謝物のうちの少なくとも１つの代謝物の濃度値、および、前記代謝物の濃度値が代入される変数を含む胃癌の状態を評価するための式を用いて、前記式の値を算出する算出ステップを含むこと、を特徴とするものである。
【００２０】
また、本発明にかかる算出方法は、前記算出ステップでは、前記評価対象の血液中の前記２０種類のアミノ酸のうちの少なくとも１つのアミノ酸の濃度値が代入される変数を含む前記式、前記代謝物の濃度値および前記アミノ酸の濃度値を用いること、を特徴とするものである。
【００２１】
また、本発明にかかる算出方法は、前記算出ステップが、制御部を備えた情報処理装置の前記制御部において実行されること、を特徴とするものである。
【００２２】
また、本発明にかかる評価装置は、制御部を備える評価装置であって、前記制御部が、評価対象の血液中の前記３２種類の代謝物のうちの少なくとも１つの代謝物の濃度値、または、前記代謝物の濃度値が代入される変数を含む式および前記代謝物の濃度値を用いて算出された前記式の値を用いて、前記評価対象について、胃癌の状態を評価する評価手段を備えること、を特徴とするものである。
【００２３】
また、本発明にかかる評価装置は、前記濃度値に関する濃度データまたは前記式の値を提供する端末装置とネットワークを介して通信可能に接続され、前記制御部が、前記端末装置から送信された前記評価対象の前記濃度データまたは前記式の値を受信するデータ受信手段と、前記評価手段で得られた評価結果を前記端末装置へ送信する結果送信手段と、をさらに備え、前記評価手段が、前記データ受信手段で受信した前記濃度データに含まれている前記濃度値または前記式の値を用いること、を特徴とするものである。
【００２４】
また、本発明にかかる算出装置は、制御部を備える算出装置であって、前記制御部が、評価対象の血液中の前記３２種類の代謝物のうちの少なくとも１つの代謝物の濃度値、および、前記代謝物の濃度値が代入される変数を含む胃癌の状態を評価するための式を用いて、前記式の値を算出する算出手段を備えること、を特徴とするものである。
【００２５】
また、本発明にかかる評価プログラムは、制御部を備える情報処理装置において実行させるための評価プログラムであって、前記制御部において実行させるための、評価対象の血液中の前記３２種類の代謝物のうちの少なくとも１つの代謝物の濃度値、または、前記代謝物の濃度値が代入される変数を含む式および前記代謝物の濃度値を用いて算出された前記式の値を用いて、前記評価対象について、胃癌の状態を評価する評価ステップを含むこと、を特徴とするものである。
【００２６】
また、本発明にかかる算出プログラムは、制御部を備える情報処理装置において実行させるための算出プログラムであって、前記制御部において実行させるための、評価対象の血液中の前記３２種類の代謝物のうちの少なくとも１つの代謝物の濃度値、および、前記代謝物の濃度値が代入される変数を含む胃癌の状態を評価するための式を用いて、前記式の値を算出する算出ステップを含むこと、を特徴とするものである。
【００２７】
また、本発明にかかる記録媒体は、前記評価プログラムまたは前記算出プログラムを記録したコンピュータ読み取り可能な記録媒体である。具体的には、本発明にかかる記録媒体は、一時的でないコンピュータ読み取り可能な記録媒体であって、情報処理装置に前記評価方法または前記算出方法を実行させるためのプログラム化された命令を含むこと、を特徴とするものである。
【００２８】
また、本発明にかかる評価システムは、制御部を備える評価装置と、制御部を備え、評価対象の血液中の前記３２種類の代謝物のうちの少なくとも１つの代謝物の濃度値に関する濃度データ、または、前記代謝物の濃度値が代入される変数を含む式および前記代謝物の濃度値を用いて算出された前記式の値を提供する端末装置とを、ネットワークを介して通信可能に接続して構成される評価システムであって、前記端末装置の前記制御部が、前記評価対象の前記濃度データまたは前記式の値を前記評価装置へ送信するデータ送信手段と、前記評価装置から送信された、前記評価対象についての胃癌の状態に関する評価結果を受信する結果受信手段と、を備え、前記評価装置の前記制御部が、前記端末装置から送信された前記評価対象の前記濃度データまたは前記式の値を受信するデータ受信手段と、前記データ受信手段で受信した前記評価対象の前記濃度データに含まれている前記代謝物の濃度値または前記式の値を用いて、前記評価対象について、胃癌の状態を評価する評価手段と、前記評価手段で得られた前記評価結果を前記端末装置へ送信する結果送信手段と、を備えること、を特徴とするものである。
【００２９】
また、本発明にかかる端末装置は、制御部を備えた端末装置であって、前記制御部が、評価対象についての胃癌の状態に関する評価結果を取得する結果取得手段を備え、前記評価結果が、前記評価対象の血液中の前記３２種類の代謝物のうちの少なくとも１つの代謝物の濃度値、または、前記代謝物の濃度値が代入される変数を含む式および前記代謝物の濃度値を用いて算出された前記式の値を用いて、前記評価対象について、胃癌の状態を評価した結果であること、を特徴とするものである。
【００３０】
また、本発明にかかる端末装置は、前記評価対象について胃癌の状態を評価する評価装置とネットワークを介して通信可能に接続されており、前記制御部が、前記評価対象の血液中の前記３２種類の代謝物のうちの少なくとも１つの代謝物の濃度値に関する濃度データまたは前記式の値を前記評価装置へ送信するデータ送信手段を備え、前記結果取得手段が、前記評価装置から送信された前記評価結果を受信すること、を特徴とするものである。
【発明の効果】
【００３１】
本発明によれば、胃癌の状態を知る上で参考となり得る信頼性の高い情報を提供することができるという効果を奏する。
【図面の簡単な説明】
【００３２】
【図１】図１は、第１実施形態の基本原理を示す原理構成図である。
【図２】図２は、第２実施形態の基本原理を示す原理構成図である。
【図３】図３は、本システムの全体構成の一例を示す図である。
【図４】図４は、本システムの全体構成の他の一例を示す図である。
【図５】図５は、本システムの評価装置１００の構成の一例を示すブロック図である。
【図６】図６は、濃度データファイル１０６ａに格納される情報の一例を示す図である。
【図７】図７は、指標状態情報ファイル１０６ｂに格納される情報の一例を示す図である。
【図８】図８は、指定指標状態情報ファイル１０６ｃに格納される情報の一例を示す図である。
【図９】図９は、式ファイル１０６ｄ１に格納される情報の一例を示す図である。
【図１０】図１０は、評価結果ファイル１０６ｅに格納される情報の一例を示す図である。
【図１１】図１１は、評価部１０２ｄの構成を示すブロック図である。
【図１２】図１２は、本システムのクライアント装置２００の構成の一例を示すブロック図である。
【図１３】図１３は、本システムのデータベース装置４００の構成の一例を示すブロック図である。
【発明を実施するための形態】
【００３３】
以下に、本発明にかかる評価方法および算出方法の実施形態（第１実施形態）ならびに本発明にかかる評価装置、算出装置、評価方法、算出方法、評価プログラム、算出プログラム、記録媒体、評価システムおよび端末装置の実施形態（第２実施形態）を、図面に基づいて詳細に説明する。なお、本発明はこれらの実施形態により限定されるものではない。
【００３４】
［第１実施形態］
［１−１．第１実施形態の概要］
ここでは、第１実施形態の概要について図１を参照して説明する。図１は第１実施形態の基本原理を示す原理構成図である。
【００３５】
まず、評価対象（例えば動物やヒトなどの個体）から採取した血液（例えば血漿、血清などを含む）中の物質（「前記３２種類の代謝物および前記２０種類のアミノ酸」のうちの少なくとも１つを含む血中物質）の濃度値に関する濃度データを取得する（ステップＳ１１）。
【００３６】
なお、ステップＳ１１では、例えば、濃度値測定を行う企業等が測定した前記血中物質に関する濃度データを取得してもよい。また、評価対象から採取した血液から、例えば以下の（Ａ）、（Ｂ）、または（Ｃ）などの測定方法により前記血中物質の濃度値を測定することで前記血中物質の濃度値に関する濃度データを取得してもよい。ここで、前記血中物質の濃度値の単位は、例えばモル濃度、重量濃度又は酵素活性であってもよく、これらの濃度に任意の定数を加減乗除することで得られるものでもよい。
（Ａ）採取した血液サンプルを遠心することにより血液から血漿を分離する。全ての血漿サンプルは、濃度値の測定時まで−８０℃で凍結保存する。濃度値測定時には、アセトニトリルを添加し除蛋白処理を行った後、標識試薬（３−アミノピリジル−Ｎ−ヒドロキシスクシンイミジルカルバメート）を用いてプレカラム誘導体化を行い、そして、液体クロマトグラフ質量分析計（ＬＣ／ＭＳ）により濃度値を分析する（国際公開第２００３／０６９３２８号、国際公開第２００５／１１６６２９号を参照）。もしくは、除蛋白処理を行った血漿を、固層抽出によるリン脂質除去後、ＬＣ／ＭＳにより濃度値（ピーク面積値）を分析する。
（Ｂ）採取した血液サンプルを遠心することにより血液から血漿を分離する。全ての血漿サンプルは、濃度値の測定時まで−８０℃で凍結保存する。濃度値測定時には、スルホサリチル酸を添加し除蛋白処理を行った後、ニンヒドリン試薬を用いたポストカラム誘導体化法を原理としたアミノ酸分析計により濃度値を分析する。
（Ｃ）採取した血液サンプルを、膜やＭＥＭＳ技術または遠心分離の原理を用いて血球分離を行い、血液から血漿または血清を分離する。血漿または血清取得後すぐに濃度値の測定を行わない血漿または血清サンプルは、濃度値の測定時まで−８０℃で凍結保存する。濃度値測定時には、酵素やアプタマーなど、標的とする血中物質と反応または結合する分子等を用い、基質認識によって増減する物質や分光学的値を定量等することにより濃度値を分析する。
【００３７】
つぎに、ステップＳ１１で取得した濃度データに含まれている、前記３２種類の代謝物および前記２０種類のアミノ酸のうちの少なくとも１つの濃度値を用いて、評価対象について胃癌の状態を評価する（ステップＳ１２）。なお、ステップＳ１２を実行する前に、ステップＳ１１で取得した濃度データから欠損値や外れ値などのデータを除去してもよい。ここで、状態を評価するとは、例えば、現在の状態を検査することである。
【００３８】
以上、第１実施形態によれば、ステップＳ１１では評価対象の濃度データを取得し、ステップＳ１２では、ステップＳ１１で取得した評価対象の濃度データに含まれている、前記３２種類の代謝物および前記２０種類のアミノ酸のうちの少なくとも１つの濃度値を用いて、評価対象について胃癌の状態を評価する（要するに、評価対象について胃癌の状態を評価するための情報または評価対象について胃癌の状態を知る上で参考となり得る信頼性の高い情報を取得する）。これにより、評価対象について胃癌の状態を評価するための情報または評価対象について胃癌の状態を知る上で参考となり得る信頼性の高い情報を提供することができる。
【００３９】
また、前記３２種類の代謝物および前記２０種類のアミノ酸のうちの少なくとも１つの濃度値が評価対象についての胃癌の状態を反映したものであると決定してもよく、さらに、濃度値を例えば以下に挙げた手法などで変換し、変換後の値が評価対象についての胃癌の状態を反映したものであると決定してもよい。換言すると、濃度値又は変換後の値そのものを、評価対象についての胃癌の状態に関する評価結果として扱ってもよい。
濃度値の取り得る範囲が所定範囲（例えば０．０から１．０までの範囲、０．０から１０．０までの範囲、０．０から１００．０までの範囲、又は−１０．０から１０．０までの範囲、など）に収まるようにするためなどに、例えば、濃度値に対して任意の値を加減乗除したり、濃度値を所定の変換手法（例えば、指数変換、対数変換、角変換、平方根変換、プロビット変換、逆数変換、Ｂｏｘ−Ｃｏｘ変換、又はべき乗変換など）で変換したり、また、濃度値に対してこれらの計算を組み合わせて行ったりすることで、濃度値を変換してもよい。例えば、濃度値を指数としネイピア数を底とする指数関数の値（具体的には、胃癌の状態が所定の状態（例えば、基準値を超えた、胃癌に罹患している可能性が高い状態、など）である確率ｐを定義したときの自然対数ｌｎ（ｐ／（１−ｐ））が濃度値と等しいとした場合におけるｐ／（１−ｐ）の値）をさらに算出してもよく、また、算出した指数関数の値を１と当該値との和で割った値（具体的には、確率ｐの値）をさらに算出してもよい。
また、特定の条件のときの変換後の値が特定の値となるように、濃度値を変換してもよい。例えば、特異度が８０％のときの変換後の値が５．０となり且つ特異度が９５％のときの変換後の値が８．０となるように濃度値を変換してもよい。
また、各代謝物および各アミノ酸ごとに、濃度分布を正規分布化した後、平均５０、標準偏差１０となるように偏差値化してもよい。
なお、これらの変換は、男女別や年齢別に行ってもよい。
なお、本明細書における濃度値は、濃度値そのものであってもよく、濃度値を変換した後の値であってもよい。
【００４０】
また、モニタ等の表示装置又は紙等の物理媒体に視認可能に示される所定の物差し上における所定の目印の位置に関する位置情報を、前記３２種類の代謝物および前記２０種類のアミノ酸のうちの少なくとも１つの濃度値又は当該濃度値を変換した場合にはその変換後の値を用いて生成し、生成した位置情報が評価対象についての胃癌の状態を反映したものであると決定してもよい。なお、所定の物差しとは、胃癌の状態を評価するためのものであり、例えば、目盛りが示された物差しであって、「濃度値又は変換後の値の取り得る範囲、又は、当該範囲の一部分」における上限値と下限値に対応する目盛りが少なくとも示されたもの、などである。また、所定の目印とは、濃度値又は変換後の値に対応するものであり、例えば、丸印又は星印などである。
【００４１】
また、前記３２種類の代謝物および前記２０種類のアミノ酸のうちの少なくとも１つの濃度値が、所定値（平均値±１ＳＤ、２ＳＤ、３ＳＤ、Ｎ分位点、Ｎパーセンタイル又は臨床的意義の認められたカットオフ値など）より低い若しくは所定値以下の場合又は所定値以上若しくは所定値より高い場合に、評価対象について、胃癌の状態を評価してもよい。その際、濃度値そのものではなく、濃度偏差値（各代謝物および各アミノ酸ごとに、男女別に濃度分布を正規分布化した後、平均５０、標準偏差１０となるように偏差値化した値）を用いてもよい。例えば、濃度偏差値が平均値−２ＳＤ未満の場合（濃度偏差値＜３０の場合）又は濃度偏差値が平均値＋２ＳＤより高い場合（濃度偏差値＞７０の場合）に、評価対象について、胃癌の状態を評価してもよい。
【００４２】
また、前記３２種類の代謝物および前記２０種類のアミノ酸のうちの少なくとも１つの濃度値、および、前記３２種類の代謝物および前記２０種類のアミノ酸のうちの少なくとも１つの濃度値が代入される変数を含む式を用いて、式の値を算出することで、評価対象について胃癌の状態を評価してもよい。
【００４３】
また、算出した式の値が評価対象についての胃癌の状態を反映したものであると決定してもよく、さらに、式の値を例えば以下に挙げた手法などで変換し、変換後の値が評価対象についての胃癌の状態を反映したものであると決定してもよい。換言すると、式の値又は変換後の値そのものを、評価対象についての胃癌の状態に関する評価結果として扱ってもよい。
式の値の取り得る範囲が所定範囲（例えば０．０から１．０までの範囲、０．０から１０．０までの範囲、０．０から１００．０までの範囲、又は−１０．０から１０．０までの範囲、など）に収まるようにするためなどに、例えば、式の値に対して任意の値を加減乗除したり、式の値を所定の変換手法（例えば、指数変換、対数変換、角変換、平方根変換、プロビット変換、逆数変換、Ｂｏｘ−Ｃｏｘ変換、又はべき乗変換など）で変換したり、また、式の値に対してこれらの計算を組み合わせて行ったりすることで、式の値を変換してもよい。例えば、式の値を指数としネイピア数を底とする指数関数の値（具体的には、胃癌の状態が所定の状態（例えば、基準値を超えた、胃癌に罹患している可能性が高い状態、など）である確率ｐを定義したときの自然対数ｌｎ（ｐ／（１−ｐ））が式の値と等しいとした場合におけるｐ／（１−ｐ）の値）をさらに算出してもよく、また、算出した指数関数の値を１と当該値との和で割った値（具体的には、確率ｐの値）をさらに算出してもよい。
また、特定の条件のときの変換後の値が特定の値となるように、式の値を変換してもよい。例えば、特異度が８０％のときの変換後の値が５．０となり且つ特異度が９５％のときの変換後の値が８．０となるように式の値を変換してもよい。
また、平均５０、標準偏差１０となるように偏差値化してもよい。
なお、これらの変換は、男女別や年齢別に行ってもよい。
なお、本明細書における式の値は、式の値そのものであってもよく、式の値を変換した後の値であってもよい。
【００４４】
また、モニタ等の表示装置又は紙等の物理媒体に視認可能に示される所定の物差し上における所定の目印の位置に関する位置情報を、式の値又は当該式の値を変換した場合にはその変換後の値を用いて生成し、生成した位置情報が評価対象についての胃癌の状態を反映したものであると決定してもよい。なお、所定の物差しとは、胃癌の状態を評価するためのものであり、例えば、目盛りが示された物差しであって、「式の値又は変換後の値の取り得る範囲、又は、当該範囲の一部分」における上限値と下限値に対応する目盛りが少なくとも示されたもの、などである。また、所定の目印とは、式の値又は変換後の値に対応するものであり、例えば、丸印又は星印などである。
【００４５】
また、評価対象が胃癌に罹患している可能性の程度を定性的に評価してもよい。具体的には、「前記３２種類の代謝物および前記２０種類のアミノ酸のうちの少なくとも１つの濃度値および予め設定された１つまたは複数の閾値」または「前記３２種類の代謝物および前記２０種類のアミノ酸のうちの少なくとも１つの濃度値、前記３２種類の代謝物および前記２０種類のアミノ酸のうちの少なくとも１つの濃度値が代入される変数を含む式、および予め設定された１つまたは複数の閾値」を用いて、評価対象を、胃癌に罹患している可能性の程度を少なくとも考慮して定義された複数の区分のうちのどれか１つに分類してもよい。なお、複数の区分には、胃癌に罹患している可能性の程度が高い対象（例えば、胃癌に罹患していると見做す対象）を属させるための区分、胃癌に罹患している可能性の程度が低い対象（例えば、胃癌に罹患していないと見做す対象）を属させるための区分、および胃癌に罹患している可能性の程度が中程度である対象を属させるための区分が含まれていてもよい。また、複数の区分には、胃癌に罹患している可能性の程度が高い対象を属させるための区分、および、胃癌に罹患している可能性の程度が低い対象を属させるための区分（例えば、健常である可能性が高い対象（例えば健常であると見做す対象）を属させるための区分など）が含まれていてもよい。また、濃度値又は式の値を所定の手法で変換し、変換後の値を用いて評価対象を複数の区分のうちのどれか１つに分類してもよい。
【００４６】
また、評価の際に用いる式について、その形式は特に問わないが、例えば、以下に示す形式のものでもよい。
・最小二乗法に基づく重回帰式、線形判別式、主成分分析、正準判別分析などの線形モデル
・最尤法に基づくロジスティック回帰、Ｃｏｘ回帰などの一般化線形モデル
・一般化線形モデルに加えて個体間差、施設間差などの変量効果を考慮した一般化線形混合モデル
・Ｋ−ｍｅａｎｓ法、階層的クラスタ解析などクラスタ解析で作成された式
・ＭＣＭＣ(マルコフ連鎖モンテカルロ法)、ベイジアンネットワーク、階層ベイズ法などベイズ統計に基づき作成された式
・サポートベクターマシンや決定木などクラス分類により作成された式
・分数式など上記のカテゴリに属さない手法により作成された式
・異なる形式の式の和で示されるような式
【００４７】
また、評価の際に用いる式を、例えば、本出願人による国際出願である国際公開第２００４／０５２１９１号に記載の方法又は本出願人による国際出願である国際公開第２００６／０９８１９２号に記載の方法で作成してもよい。なお、これらの方法で得られた式であれば、入力データとしての濃度データにおける代謝物および／またはアミノ酸の濃度値の単位に因らず、当該式を胃癌の状態を評価するのに好適に用いることができる。
【００４８】
ここで、重回帰式、多重ロジスティック回帰式、正準判別関数などにおいては各変数に係数及び定数項が付加されるが、この係数及び定数項は、好ましくは実数であれば構わず、より好ましくは、データから前記の各種分類を行うために得られた係数及び定数項の９９％信頼区間の範囲に属する値であれば構わず、さらに好ましくは、データから前記の各種分類を行うために得られた係数及び定数項の９５％信頼区間の範囲に属する値であれば構わない。また、各係数の値及びその信頼区間は、それを実数倍したものでもよく、定数項の値及びその信頼区間は、それに任意の実定数を加減乗除したものでもよい。ロジスティック回帰式、線形判別式、重回帰式などを評価の際に用いる場合、線形変換（定数の加算、定数倍）及び単調増加（減少）の変換（例えばｌｏｇｉｔ変換など）は評価性能を変えるものではなく変換前と同等であるので、これらの変換が行われた後のものを用いてもよい。
【００４９】
また、分数式とは、当該分数式の分子が変数Ａ，Ｂ，Ｃ，・・・の和で表わされ及び／又は当該分数式の分母が変数ａ，ｂ，ｃ，・・・の和で表わされるものである。また、分数式には、このような構成の分数式α，β，γ，・・・の和（例えばα＋βのようなもの）も含まれる。また、分数式には、分割された分数式も含まれる。なお、分子や分母に用いられる変数にはそれぞれ適当な係数がついても構わない。また、分子や分母に用いられる変数は重複しても構わない。また、各分数式に適当な係数がついても構わない。また、各変数の係数の値や定数項の値は、実数であれば構わない。ある分数式と、当該分数式において分子の変数と分母の変数が入れ替えられたものとでは、目的変数との相関の正負の符号が概して逆転するものの、それらの相関性は保たれるが故に、評価性能も同等と見做せるので、分数式には、分子の変数と分母の変数が入れ替えられたものも含まれる。
【００５０】
そして、胃癌の状態を評価する際、前記３２種類の代謝物および前記２０種類のアミノ酸のうちの少なくとも１つの濃度値以外に、他の生体情報に関する値（例えば、以下に挙げた値など）をさらに用いても構わない。また、評価の際に用いる式には、前記３２種類の代謝物および前記２０種類のアミノ酸のうちの少なくとも１つの濃度値が代入される変数以外に、他の生体情報に関する値（例えば、以下に挙げた値など）が代入される１つ又は複数の変数がさらに含まれていてもよい。
１．アミノ酸以外の他の血中の代謝物（アミノ酸代謝物・糖類・脂質等）、タンパク質、ペプチド、ミネラル、ホルモン等の濃度値
２．アルブミン、総蛋白、トリグリセリド（中性脂肪）、ＨｂＡ１ｃ、糖化アルブミン、インスリン抵抗性指数、総コレステロール、ＬＤＬコレステロール、ＨＤＬコレステロール、アミラーゼ、総ビリルビン、クレアチニン、推算糸球体濾過量(ｅＧＦＲ)、尿酸、ＧＯＴ（ＡＳＴ）、ＧＰＴ（ＡＬＴ），ＧＧＴＰ（γ−ＧＴＰ）、グルコース（血糖値）、ＣＲＰ（Ｃ反応性蛋白）、赤血球、ヘモグロビン、ヘマトクリット、ＭＣＶ、ＭＣＨ，ＭＣＨＣ、白血球、血小板数等の血液検査値
３．超音波エコー、Ｘ線、ＣＴ、ＭＲＩ、内視鏡像等の画像情報から得られる値
４．年齢、身長、体重、ＢＭＩ、腹囲、収縮期血圧、拡張期血圧、性別、喫煙情報、食事情報、飲酒情報、運動情報、ストレス情報、睡眠情報、家族の既往歴情報、疾患歴情報（糖尿病等）等の生体指標に関する値
【００５１】
［第２実施形態］
［２−１．第２実施形態の概要］
ここでは、第２実施形態の概要について図２を参照して説明する。図２は第２実施形態の基本原理を示す原理構成図である。なお、本第２実施形態の説明では、上述した第１実施形態と重複する説明を省略する場合がある。特に、ここでは、胃癌の状態を評価する際に、式の値又はその変換後の値を用いるケースを一例として記載しているが、例えば、「前記３２種類の代謝物および前記２０種類のアミノ酸」のうちの少なくとも１つの濃度値又はその変換後の値（例えば濃度偏差値など）を用いてもよい。
【００５２】
制御部は、血液中の前記３２種類の代謝物および前記２０種類のアミノ酸のうちの少なくとも１つの濃度値に関する予め取得した評価対象（例えば動物やヒトなどの個体）の濃度データに含まれている、前記３２種類の代謝物および前記２０種類のアミノ酸のうちの少なくとも１つの濃度値、および、前記３２種類の代謝物および前記２０種類のアミノ酸のうちの少なくとも１つの濃度値が代入される変数を含む予め記憶部に記憶された式を用いて、式の値を算出することで、評価対象について胃癌の状態を評価する（ステップＳ２１）。これにより、胃癌の状態を知る上で参考となり得る信頼性の高い情報を提供することができる。
【００５３】
なお、ステップＳ２１で用いられる式は、以下に説明する式作成処理（工程１〜工程４）に基づいて作成されたものでもよい。ここで、式作成処理の概要について説明する。なお、ここで説明する処理はあくまでも一例であり、式の作成方法はこれに限定されない。
【００５４】
まず、制御部は、濃度データと胃癌の状態を表す指標に関する指標データとを含む予め記憶部に記憶された指標状態情報（欠損値や外れ値などを持つデータが事前に除去されているものでもよい）から所定の式作成手法に基づいて、候補式（例えば、ｙ＝ａ１ｘ１＋ａ２ｘ２＋・・・＋ａｎｘｎ、ｙ：指標データ、ｘｉ：濃度データ、ａｉ：定数、ｉ＝１，２，・・・，ｎ）を作成する（工程１）。
【００５５】
なお、工程１において、指標状態情報から、複数の異なる式作成手法（主成分分析や判別分析、サポートベクターマシン、重回帰分析、Ｃｏｘ回帰分析、ロジスティック回帰分析、ｋ−ｍｅａｎｓ法、クラスター解析、決定木などの多変量解析に関するものを含む。）を併用して複数の候補式を作成してもよい。具体的には、多数の健常群および胃癌群から得た血液を分析して得た濃度データおよび指標データから構成される多変量データである指標状態情報に対して、複数の異なるアルゴリズムを利用して複数群の候補式を同時並行的に作成してもよい。例えば、異なるアルゴリズムを利用して判別分析およびロジスティック回帰分析を同時に行い、２つの異なる候補式を作成してもよい。また、主成分分析を行って作成した候補式を利用して指標状態情報を変換し、変換した指標状態情報に対して判別分析を行うことで候補式を作成してもよい。これにより、最終的に、評価に最適な式を作成することができる。
【００５６】
ここで、主成分分析を用いて作成した候補式は、全ての濃度データの分散を最大にするような各変数を含む一次式である。また、判別分析を用いて作成した候補式は、各群内の分散の和の全ての濃度データの分散に対する比を最小にするような各変数を含む高次式（指数や対数を含む）である。また、サポートベクターマシンを用いて作成した候補式は、群間の境界を最大にするような各変数を含む高次式（カーネル関数を含む）である。また、重回帰分析を用いて作成した候補式は、全ての濃度データからの距離の和を最小にするような各変数を含む高次式である。また、Ｃｏｘ回帰分析を用いて作成した候補式は、対数ハザード比を含む線形モデルで、そのモデルの尤度を最大とするような各変数とその係数を含む１次式であるである。また、ロジスティック回帰分析を用いて作成した候補式は、確率の対数オッズを表す線形モデルであり、その確率の尤度を最大にするような各変数を含む一次式である。また、ｋ−ｍｅａｎｓ法とは、各濃度データのｋ個近傍を探索し、近傍点の属する群の中で一番多いものをそのデータの所属群と定義し、入力された濃度データの属する群と定義された群とが最も合致するような変数を選択する手法である。また、クラスター解析とは、全ての濃度データの中で最も近い距離にある点同士をクラスタリング（群化）する手法である。また、決定木とは、変数に序列をつけて、序列が上位である変数の取りうるパターンから濃度データの群を予測する手法である。
【００５７】
式作成処理の説明に戻り、制御部は、工程１で作成した候補式を、所定の検証手法に基づいて検証（相互検証）する（工程２）。候補式の検証は、工程１で作成した各候補式に対して行う。なお、工程２において、ブートストラップ法やホールドアウト法、Ｎ−フォールド法、リーブワンアウト法などのうち少なくとも１つに基づいて、候補式の判別率や感度、特異度、情報量基準、ＲＯＣ＿ＡＵＣ（受信者特性曲線の曲線下面積）などのうち少なくとも１つに関して検証してもよい。これにより、指標状態情報や評価条件を考慮した予測性または頑健性の高い候補式を作成することができる。
【００５８】
ここで、判別率とは、本実施形態にかかる評価手法で、真の状態が陰性である評価対象（例えば、胃癌に罹患していない評価対象など）を正しく陰性と評価し、真の状態が陽性である評価対象（例えば、胃癌に罹患している評価対象など）を正しく陽性と評価している割合である。また、感度とは、本実施形態にかかる評価手法で、真の状態が陽性である評価対象を正しく陽性と評価している割合である。また、特異度とは、本実施形態にかかる評価手法で、真の状態が陰性である評価対象を正しく陰性と評価している割合である。また、赤池情報量規準とは、回帰分析などの場合に，観測データが統計モデルにどの程度一致するかを表す基準であり、「−２×（統計モデルの最大対数尤度）＋２×（統計モデルの自由パラメータ数）」で定義される値が最小となるモデルを最もよいと判断する。また、ＲＯＣ＿ＡＵＣは、２次元座標上に（ｘ，ｙ）＝（１−特異度，感度）をプロットして作成される曲線である受信者特性曲線（ＲＯＣ）の曲線下面積として定義され、ＲＯＣ＿ＡＵＣの値は完全な判別では１となり、この値が１に近いほど判別性が高いことを示す。また、予測性とは、候補式の検証を繰り返すことで得られた判別率や感度、特異性を平均したものである。また、頑健性とは、候補式の検証を繰り返すことで得られた判別率や感度、特異性の分散である。
【００５９】
式作成処理の説明に戻り、制御部は、所定の変数選択手法に基づいて候補式の変数を選択することで、候補式を作成する際に用いる指標状態情報に含まれる濃度データの組み合わせを選択する（工程３）。なお、工程３において、変数の選択は、工程１で作成した各候補式に対して行ってもよい。これにより、候補式の変数を適切に選択することができる。そして、工程３で選択した濃度データを含む指標状態情報を用いて再び工程１を実行する。また、工程３において、工程２での検証結果からステップワイズ法、ベストパス法、近傍探索法、遺伝的アルゴリズムのうち少なくとも１つに基づいて候補式の変数を選択してもよい。なお、ベストパス法とは、候補式に含まれる変数を１つずつ順次減らしていき、候補式が与える評価指標を最適化することで変数を選択する方法である。
【００６０】
式作成処理の説明に戻り、制御部は、上述した工程１、工程２および工程３を繰り返し実行し、これにより蓄積した検証結果に基づいて、複数の候補式の中から評価の際に用いる候補式を選出することで、評価の際に用いる式を作成する（工程４）。なお、候補式の選出には、例えば、同じ式作成手法で作成した候補式の中から最適なものを選出する場合と、すべての候補式の中から最適なものを選出する場合とがある。
【００６１】
以上、説明したように、式作成処理では、指標状態情報に基づいて、候補式の作成、候補式の検証および候補式の変数の選択に関する処理を一連の流れで体系化（システム化）して実行することにより、胃癌の評価に最適な式を作成することができる。換言すると、式作成処理では、前記３２種類の代謝物および前記２０種類のアミノ酸のうちの少なくとも１つを含む血中物質の濃度を多変量の統計解析に用い、最適でロバストな変数の組を選択するために変数選択法とクロスバリデーションとを組み合わせて、評価性能の高い式を抽出する。
【００６２】
［２−２．第２実施形態の構成］
ここでは、第２実施形態にかかる評価システム（以下では本システムと記す場合がある。）の構成について、図３から図１４を参照して説明する。なお、本システムはあくまでも一例であり、本発明はこれに限定されない。特に、ここでは、胃癌の状態を評価する際に、式の値又はその変換後の値を用いるケースを一例として記載しているが、例えば、「前記３２種類の代謝物および前記２０種類のアミノ酸」のうちの少なくとも１つの濃度値又はその変換後の値（例えば濃度偏差値など）を用いてもよい。
【００６３】
まず、本システムの全体構成について図３および図４を参照して説明する。図３は本システムの全体構成の一例を示す図である。また、図４は本システムの全体構成の他の一例を示す図である。本システムは、図３に示すように、評価対象である個体について胃癌の状態を評価する評価装置１００と、血液中の前記３２種類の代謝物および前記２０種類のアミノ酸のうちの少なくとも１つを含む血中物質の濃度値に関する個体の濃度データを提供するクライアント装置２００（本発明の端末装置に相当）とを、ネットワーク３００を介して通信可能に接続して構成されている。
【００６４】
なお、本システムにおいて、評価に用いられるデータの提供元となるクライアント装置２００と評価結果の提供先となるクライアント装置２００は別々のものであってもよい。本システムは、図４に示すように、評価装置１００やクライアント装置２００の他に、評価装置１００で式を作成する際に用いる指標状態情報や、評価の際に用いる式などを格納したデータベース装置４００を、ネットワーク３００を介して通信可能に接続して構成されてもよい。これにより、ネットワーク３００を介して、評価装置１００からクライアント装置２００やデータベース装置４００へ、あるいはクライアント装置２００やデータベース装置４００から評価装置１００へ、胃癌の状態を知る上で参考となる情報などが提供される。ここで、胃癌の状態を知る上で参考となる情報とは、例えば、ヒトを含む生物の胃癌の状態に関する特定の項目について測定した値に関する情報などである。また、胃癌の状態を知る上で参考となる情報は、評価装置１００やクライアント装置２００や他の装置（例えば各種の計測装置等）で生成され、主にデータベース装置４００に蓄積される。
【００６５】
つぎに、本システムの評価装置１００の構成について図５から図１１を参照して説明する。図５は、本システムの評価装置１００の構成の一例を示すブロック図であり、該構成のうち本発明に関係する部分のみを概念的に示している。
【００６６】
評価装置１００は、当該評価装置を統括的に制御するＣＰＵ（Ｃｅｎｔｒａｌ  Ｐｒｏｃｅｓｓｉｎｇ  Ｕｎｉｔ）等の制御部１０２と、ルータ等の通信装置および専用線等の有線または無線の通信回線を介して当該評価装置をネットワーク３００に通信可能に接続する通信インターフェース部１０４と、各種のデータベースやテーブルやファイルなどを格納する記憶部１０６と、入力装置１１２や出力装置１１４に接続する入出力インターフェース部１０８と、で構成されており、これら各部は任意の通信路を介して通信可能に接続されている。ここで、評価装置１００は、各種の分析装置（例えばアミノ酸分析装置等）と同一筐体で構成されてもよい。例えば、血液中の前記３２種類の代謝物および前記２０種類のアミノ酸のうちの少なくとも１つを含む所定の血中物質の濃度値を算出（測定）し、算出した値を出力（印刷やモニタ表示など）する構成（ハードウェアおよびソフトウェア）を備えた小型分析装置において、後述する評価部１０２ｄをさらに備え、当該評価部１０２ｄで得られた結果を前記構成を用いて出力すること、を特徴とするものでもよい。
【００６７】
通信インターフェース部１０４は、評価装置１００とネットワーク３００（またはルータ等の通信装置）との間における通信を媒介する。すなわち、通信インターフェース部１０４は、他の端末と通信回線を介してデータを通信する機能を有する。
【００６８】
入出力インターフェース部１０８は、入力装置１１２や出力装置１１４に接続する。ここで、出力装置１１４には、モニタ（家庭用テレビを含む）の他、スピーカやプリンタを用いることができる（なお、以下では、出力装置１１４をモニタ１１４として記載する場合がある。）。入力装置１１２には、キーボードやマウスやマイクの他、マウスと協働してポインティングデバイス機能を実現するモニタを用いることができる。
【００６９】
記憶部１０６は、ストレージ手段であり、例えば、ＲＡＭ（Ｒａｎｄｏｍ  Ａｃｃｅｓｓ  Ｍｅｍｏｒｙ）・ＲＯＭ（Ｒｅａｄ  Ｏｎｌｙ  Ｍｅｍｏｒｙ）等のメモリ装置や、ハードディスクのような固定ディスク装置、フレキシブルディスク、光ディスク等を用いることができる。記憶部１０６には、ＯＳ（Ｏｐｅｒａｔｉｎｇ  Ｓｙｓｔｅｍ）と協働してＣＰＵに命令を与え各種処理を行うためのコンピュータプログラムが記録されている。記憶部１０６は、図示の如く、濃度データファイル１０６ａと、指標状態情報ファイル１０６ｂと、指定指標状態情報ファイル１０６ｃと、式関連情報データベース１０６ｄと、評価結果ファイル１０６ｅと、を格納する。
【００７０】
濃度データファイル１０６ａは、血液中の前記３２種類の代謝物および前記２０種類のアミノ酸のうちの少なくとも１つを含む血中物質の濃度値に関する濃度データを格納する。図６は、濃度データファイル１０６ａに格納される情報の一例を示す図である。濃度データファイル１０６ａに格納される情報は、図６に示すように、評価対象である個体（サンプル）を一意に識別するための個体番号と、濃度データとを相互に関連付けて構成されている。ここで、図６では、濃度データを数値、すなわち連続尺度として扱っているが、濃度データは名義尺度や順序尺度でもよい。なお、名義尺度や順序尺度の場合は、それぞれの状態に対して任意の数値を与えることで解析してもよい。また、濃度データに、他の生体情報に関する値（上記参照）を組み合わせてもよい。
【００７１】
図５に戻り、指標状態情報ファイル１０６ｂは、式を作成する際に用いる指標状態情報を格納する。図７は、指標状態情報ファイル１０６ｂに格納される情報の一例を示す図である。指標状態情報ファイル１０６ｂに格納される情報は、図７に示すように、個体番号と、胃癌の状態を表す指標（指標Ｔ１、指標Ｔ２、指標Ｔ３・・・）に関する指標データ（Ｔ）と、濃度データと、を相互に関連付けて構成されている。ここで、図７では、指標データおよび濃度データを数値（すなわち連続尺度）として扱っているが、指標データおよび濃度データは名義尺度や順序尺度でもよい。なお、名義尺度や順序尺度の場合は、それぞれの状態に対して任意の数値を与えることで解析してもよい。また、指標データは、胃癌の状態のマーカーとなる既知の指標などであり、数値データを用いてもよい。
【００７２】
図５に戻り、指定指標状態情報ファイル１０６ｃは、後述する指定部１０２ｂで指定した指標状態情報を格納する。図８は、指定指標状態情報ファイル１０６ｃに格納される情報の一例を示す図である。指定指標状態情報ファイル１０６ｃに格納される情報は、図８に示すように、個体番号と、指定した指標データと、指定した濃度データと、を相互に関連付けて構成されている。
【００７３】
図５に戻り、式関連情報データベース１０６ｄは、後述する式作成部１０２ｃで作成した式を格納する式ファイル１０６ｄ１で構成される。式ファイル１０６ｄ１は、評価の際に用いる式を格納する。図９は、式ファイル１０６ｄ１に格納される情報の一例を示す図である。式ファイル１０６ｄ１に格納される情報は、図９に示すように、ランクと、式（図９では、Ｆｐ（Ｈｏｍｏ，・・・）やＦｐ（Ｈｏｍｏ，ＧＡＢＡ，Ａｓｎ）、Ｆｋ（Ｈｏｍｏ，ＧＡＢＡ，Ａｓｎ，・・・）など）と、各式作成手法に対応する閾値と、各式の検証結果（例えば各式の値）と、を相互に関連付けて構成されている。なお、“Ｈｏｍｏ”という文字は、Ｈｏｍｏａｒｇｉｎｉｎｅを意味するものである。
【００７４】
図５に戻り、評価結果ファイル１０６ｅは、後述する評価部１０２ｄで得られた評価結果を格納する。図１０は、評価結果ファイル１０６ｄに格納される情報の一例を示す図である。評価結果ファイル１０６ｄに格納される情報は、評価対象である個体（サンプル）を一意に識別するための個体番号と、予め取得した個体の濃度データと、胃癌の状態に関する評価結果（例えば、後述する算出部１０２ｄ１で算出した式の値、後述する変換部１０２ｄ２で式の値を変換した後の値、後述する生成部１０２ｄ３で生成した位置情報、又は、後述する分類部１０２ｄ４で得られた分類結果、など）と、を相互に関連付けて構成されている。
【００７５】
図５に戻り、制御部１０２は、ＯＳ等の制御プログラム・各種の処理手順等を規定したプログラム・所要データなどを格納するための内部メモリを有し、これらのプログラムに基づいて種々の情報処理を実行する。制御部１０２は、図示の如く、大別して、取得部１０２ａと指定部１０２ｂと式作成部１０２ｃと評価部１０２ｄと結果出力部１０２ｅと送信部１０２ｆとを備えている。制御部１０２は、データベース装置４００から送信された指標状態情報やクライアント装置２００から送信された濃度データに対して、欠損値のあるデータの除去・外れ値の多いデータの除去・欠損値のあるデータの多い変数の除去などのデータ処理も行う。
【００７６】
取得部１０２ａは、情報（具体的には、濃度データや指標状態情報、式など）を取得する。例えば、取得部１０２ａは、クライアント装置２００やデータベース装置４００から送信された情報（具体的には、濃度データや指標状態情報、式など）を、ネットワーク３００を介して受信することで、情報の取得を行ってもよい。なお、取得部１０２ａは、評価結果の送信先のクライアント装置２００とは異なるクライアント装置２００から送信された評価に用いられるデータを受信してもよい。また、例えば、記録媒体に記録されている情報の読み出しを行うための機構（ハードウェアおよびソフトウェアを含む）を評価装置１００が備える場合、取得部１０２ａは、記録媒体に記録されている情報（具体的には、濃度データや指標状態情報、式など）を当該機構を介して読み出すことで、情報の取得を行ってもよい。指定部１０２ｂは、式を作成するにあたり対象とする指標データおよび濃度データを指定する。
【００７７】
式作成部１０２ｃは、取得部１０２ａで取得した指標状態情報や指定部１０２ｂで指定した指標状態情報に基づいて式を作成する。なお、式が予め記憶部１０６の所定の記憶領域に格納されている場合には、式作成部１０２ｃは、記憶部１０６から所望の式を選択することで、式を作成してもよい。また、式作成部１０２ｃは、式を予め格納した他のコンピュータ装置（例えばデータベース装置４００）から所望の式を選択しダウンロードすることで、式を作成してもよい。
【００７８】
評価部１０２ｄは、事前に得られた式（例えば、式作成部１０２ｃで作成した式、又は、取得部１０２ａで取得した式など）、及び、取得部１０２ａで取得した個体の濃度データに含まれる、前記３２種類の代謝物および前記２０種類のアミノ酸のうちの少なくとも１つの濃度値を用いて、式の値を算出することで、個体について胃癌の状態を評価する。なお、評価部１０２ｄは、前記３２種類の代謝物および前記２０種類のアミノ酸のうちの少なくとも１つの濃度値又は当該濃度値の変換後の値（例えば濃度偏差値）を用いて、個体について胃癌の状態を評価してもよい。
【００７９】
ここで、評価部１０２ｄの構成について図１１を参照して説明する。図１１は、評価部１０２ｄの構成を示すブロック図であり、該構成のうち本発明に関係する部分のみを概念的に示している。評価部１０２ｄは、算出部１０２ｄ１と、変換部１０２ｄ２と、生成部１０２ｄ３と、分類部１０２ｄ４と、をさらに備えている。
【００８０】
算出部１０２ｄ１は、前記３２種類の代謝物および前記２０種類のアミノ酸のうちの少なくとも１つの濃度値、および、前記３２種類の代謝物および前記２０種類のアミノ酸のうちの少なくとも１つの濃度値が代入される変数を少なくとも含む式を用いて、式の値を算出する。なお、評価部１０２ｄは、算出部１０２ｄ１で算出した式の値を評価結果として評価結果ファイル１０６ｅの所定の記憶領域に格納してもよい。
【００８１】
変換部１０２ｄ２は、算出部１０２ｄ１で算出した式の値を例えば上述した変換手法などで変換する。なお、評価部１０２ｄは、変換部１０２ｄ２で変換した後の値を評価結果として評価結果ファイル１０６ｅの所定の記憶領域に格納してもよい。また、変換部１０２ｄ２は、濃度データに含まれている、前記３２種類の代謝物および前記２０種類のアミノ酸のうちの少なくとも１つの濃度値を、例えば上述した変換手法などで変換してもよい。
【００８２】
生成部１０２ｄ３は、モニタ等の表示装置又は紙等の物理媒体に視認可能に示される所定の物差し上における所定の目印の位置に関する位置情報を、算出部１０２ｄ１で算出した式の値又は変換部１０２ｄ２で変換した後の値（濃度値又は当該濃度値の変換後の値でもよい）を用いて生成する。なお、評価部１０２ｄは、生成部１０２ｄ３で生成した位置情報を評価結果として評価結果ファイル１０６ｅの所定の記憶領域に格納してもよい。
【００８３】
分類部１０２ｄ４は、算出部１０２ｄ１で算出した式の値又は変換部１０２ｄ２で変換した後の値（濃度値又は当該濃度値の変換後の値でもよい）を用いて、個体を、胃癌に罹患している可能性の程度を少なくとも考慮して定義された複数の区分のうちのどれか１つに分類する。
【００８４】
結果出力部１０２ｅは、制御部１０２の各処理部での処理結果（評価部１０２ｄで得られた評価結果を含む）等を出力装置１１４に出力する。
【００８５】
送信部１０２ｆは、個体の濃度データの送信元のクライアント装置２００に対して評価結果を送信したり、データベース装置４００に対して、評価装置１００で作成した式や評価結果を送信したりする。なお、送信部１０２ｆは、評価に用いられるデータの送信元のクライアント装置２００とは異なるクライアント装置２００に対して評価結果を送信してもよい。
【００８６】
つぎに、本システムのクライアント装置２００の構成について図１２を参照して説明する。図１２は、本システムのクライアント装置２００の構成の一例を示すブロック図であり、該構成のうち本発明に関係する部分のみを概念的に示している。
【００８７】
クライアント装置２００は、制御部２１０とＲＯＭ２２０とＨＤ（Ｈａｒｄ  Ｄｉｓｋ）２３０とＲＡＭ２４０と入力装置２５０と出力装置２６０と入出力ＩＦ２７０と通信ＩＦ２８０とで構成されており、これら各部は任意の通信路を介して通信可能に接続されている。クライアント装置２００は、プリンタ・モニタ・イメージスキャナ等の周辺装置を必要に応じて接続した情報処理装置（例えば、既知のパーソナルコンピュータ・ワークステーション・家庭用ゲーム装置・インターネットＴＶ・ＰＨＳ（Ｐｅｒｓｏｎａｌ  Ｈａｎｄｙｐｈｏｎｅ  Ｓｙｓｔｅｍ）端末・携帯端末・移動体通信端末・ＰＤＡ（Ｐｅｒｓｏｎａｌ  Ｄｉｇｉｔａｌ  Ａｓｓｉｓｔａｎｔ）等の情報処理端末など）を基にしたものであってもよい。
【００８８】
入力装置２５０はキーボードやマウスやマイク等である。なお、後述するモニタ２６１もマウスと協働してポインティングデバイス機能を実現する。出力装置２６０は、通信ＩＦ２８０を介して受信した情報を出力する出力手段であり、モニタ（家庭用テレビを含む）２６１およびプリンタ２６２を含む。この他、出力装置２６０にスピーカ等を設けてもよい。入出力ＩＦ２７０は入力装置２５０や出力装置２６０に接続する。
【００８９】
通信ＩＦ２８０は、クライアント装置２００とネットワーク３００（またはルータ等の通信装置）とを通信可能に接続する。換言すると、クライアント装置２００は、モデムやＴＡ（Ｔｅｒｍｉｎａｌ  Ａｄａｐｔｅｒ）やルータなどの通信装置および電話回線を介して、または専用線を介してネットワーク３００に接続される。これにより、クライアント装置２００は、所定の通信規約に従って評価装置１００にアクセスすることができる。
【００９０】
制御部２１０は、受信部２１１および送信部２１２を備えている。受信部２１１は、通信ＩＦ２８０を介して、評価装置１００から送信された評価結果などの各種情報を受信する。送信部２１２は、通信ＩＦ２８０を介して、個体の濃度データなどの各種情報を評価装置１００へ送信する。
【００９１】
制御部２１０は、当該制御部で行う処理の全部または任意の一部を、ＣＰＵおよび当該ＣＰＵにて解釈して実行するプログラムで実現してもよい。ＲＯＭ２２０またはＨＤ２３０には、ＯＳと協働してＣＰＵに命令を与え、各種処理を行うためのコンピュータプログラムが記録されている。当該コンピュータプログラムは、ＲＡＭ２４０にロードされることで実行され、ＣＰＵと協働して制御部２１０を構成する。また、当該コンピュータプログラムは、クライアント装置２００と任意のネットワークを介して接続されるアプリケーションプログラムサーバに記録されてもよく、クライアント装置２００は、必要に応じてその全部または一部をダウンロードしてもよい。また、制御部２１０で行う処理の全部または任意の一部を、ワイヤードロジック等によるハードウェアで実現してもよい。
【００９２】
ここで、制御部２１０は、評価装置１００に備えられている評価部１０２ｄが有する機能と同様の機能を有する評価部２１０ａ（算出部２１０ａ１、変換部２１０ａ２、生成部２１０ａ３、及び分類部２１０ａ４を含む）を備えていてもよい。そして、制御部２１０に評価部２１０ａが備えられている場合には、評価部２１０ａは、評価装置１００から送信された評価結果に含まれている情報に応じて、変換部２１０ａ２で式の値（濃度値でもよい）を変換したり、生成部２１０ａ３で式の値又は変換後の値（濃度値又は当該濃度値の変換後の値でもよい）に対応する位置情報を生成したり、分類部２１０ａ４で式の値又は変換後の値（濃度値又は当該濃度値の変換後の値でもよい）を用いて個体を複数の区分のうちのどれか１つに分類したりしてもよい。
【００９３】
つぎに、本システムのネットワーク３００について図３、図４を参照して説明する。ネットワーク３００は、評価装置１００とクライアント装置２００とデータベース装置４００とを相互に通信可能に接続する機能を有し、例えばインターネットやイントラネットやＬＡＮ（Ｌｏｃａｌ  Ａｒｅａ  Ｎｅｔｗｏｒｋ）（有線／無線の双方を含む）等である。なお、ネットワーク３００は、ＶＡＮ（Ｖａｌｕｅ−Ａｄｄｅｄ  Ｎｅｔｗｏｒｋ）や、パソコン通信網や、公衆電話網（アナログ／デジタルの双方を含む）や、専用回線網（アナログ／デジタルの双方を含む）や、ＣＡＴＶ（Ｃｏｍｍｕｎｉｔｙ  Ａｎｔｅｎｎａ  ＴｅｌｅＶｉｓｉｏｎ）網や、携帯回線交換網または携帯パケット交換網（ＩＭＴ（Ｉｎｔｅｒｎａｔｉｏｎａｌ  Ｍｏｂｉｌｅ  Ｔｅｌｅｃｏｍｍｕｎｉｃａｔｉｏｎ）２０００方式、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）方式またはＰＤＣ（Ｐｅｒｓｏｎａｌ  Ｄｉｇｉｔａｌ  Ｃｅｌｌｕｌａｒ）／ＰＤＣ−Ｐ方式等を含む）や、無線呼出網や、Ｂｌｕｅｔｏｏｔｈ（登録商標）等の局所無線網や、ＰＨＳ網や、衛星通信網（ＣＳ（Ｃｏｍｍｕｎｉｃａｔｉｏｎ  Ｓａｔｅｌｌｉｔｅ）、ＢＳ（Ｂｒｏａｄｃａｓｔｉｎｇ  Ｓａｔｅｌｌｉｔｅ）またはＩＳＤＢ（Ｉｎｔｅｇｒａｔｅｄ  Ｓｅｒｖｉｃｅｓ  Ｄｉｇｉｔａｌ  Ｂｒｏａｄｃａｓｔｉｎｇ）等を含む）等でもよい。
【００９４】
つぎに、本システムのデータベース装置４００の構成について図１３を参照して説明する。図１３は、本システムのデータベース装置４００の構成の一例を示すブロック図であり、該構成のうち本発明に関係する部分のみを概念的に示している。
【００９５】
データベース装置４００は、評価装置１００または当該データベース装置で式を作成する際に用いる指標状態情報や、評価装置１００で作成した式、評価装置１００での評価結果などを格納する機能を有する。図１３に示すように、データベース装置４００は、当該データベース装置を統括的に制御するＣＰＵ等の制御部４０２と、ルータ等の通信装置および専用線等の有線または無線の通信回路を介して当該データベース装置をネットワーク３００に通信可能に接続する通信インターフェース部４０４と、各種のデータベースやテーブルやファイル（例えばＷｅｂページ用ファイル）などを格納する記憶部４０６と、入力装置４１２や出力装置４１４に接続する入出力インターフェース部４０８と、で構成されており、これら各部は任意の通信路を介して通信可能に接続されている。
【００９６】
記憶部４０６は、ストレージ手段であり、例えば、ＲＡＭ・ＲＯＭ等のメモリ装置や、ハードディスクのような固定ディスク装置や、フレキシブルディスクや、光ディスク等を用いることができる。記憶部４０６には、各種処理に用いる各種プログラム等を格納する。通信インターフェース部４０４は、データベース装置４００とネットワーク３００（またはルータ等の通信装置）との間における通信を媒介する。すなわち、通信インターフェース部４０４は、他の端末と通信回線を介してデータを通信する機能を有する。入出力インターフェース部４０８は、入力装置４１２や出力装置４１４に接続する。ここで、出力装置４１４には、モニタ（家庭用テレビを含む）の他、スピーカやプリンタを用いることができる。また、入力装置４１２には、キーボードやマウスやマイクの他、マウスと協働してポインティングデバイス機能を実現するモニタを用いることができる。
【００９７】
制御部４０２は、ＯＳ等の制御プログラム・各種の処理手順等を規定したプログラム・所要データなどを格納するための内部メモリを有し、これらのプログラムに基づいて種々の情報処理を実行する。制御部４０２は、図示の如く、大別して、送信部４０２ａと受信部４０２ｂを備えている。送信部４０２ａは、指標状態情報や式などの各種情報を、評価装置１００へ送信する。受信部４０２ｂは、評価装置１００から送信された、式や評価結果などの各種情報を受信する。
【００９８】
なお、本説明では、評価装置１００が、濃度データの取得から、式の値の算出、個体の区分への分類、そして評価結果の送信までを実行し、クライアント装置２００が評価結果の受信を実行するケースを例として挙げたが、クライアント装置２００に評価部２１０ａが備えられている場合は、評価装置１００は式の値の算出を実行すれば十分であり、例えば式の値の変換、位置情報の生成、及び、個体の区分への分類などは、評価装置１００とクライアント装置２００とで適宜分担して実行してもよい。
例えば、クライアント装置２００は、評価装置１００から式の値を受信した場合には、評価部２１０ａは、変換部２１０ａ２で式の値を変換したり、生成部２１０ａ３で式の値又は変換後の値に対応する位置情報を生成したり、分類部２１０ａ４で式の値又は変換後の値を用いて個体を複数の区分のうちのどれか１つに分類したりしてもよい。
また、クライアント装置２００は、評価装置１００から変換後の値を受信した場合には、評価部２１０ａは、生成部２１０ａ３で変換後の値に対応する位置情報を生成したり、分類部２１０ａ４で変換後の値を用いて個体を複数の区分のうちのどれか１つに分類したりしてもよい。
また、クライアント装置２００は、評価装置１００から式の値又は変換後の値と位置情報とを受信した場合には、評価部２１０ａは、分類部２１０ａ４で式の値又は変換後の値を用いて個体を複数の区分のうちのどれか１つに分類してもよい。
【００９９】
［２−３．他の実施形態］
本発明にかかる評価装置、算出装置、評価方法、算出方法、評価プログラム、算出プログラム、記録媒体、評価システムおよび端末装置は、上述した第２実施形態以外にも、特許請求の範囲に記載した技術的思想の範囲内において種々の異なる実施形態にて実施されてよいものである。
【０１００】
また、第２実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【０１０１】
このほか、上記文献中や図面中で示した処理手順、制御手順、具体的名称、各処理の登録データや検索条件等のパラメータを含む情報、画面例、データベース構成については、特記する場合を除いて任意に変更することができる。
【０１０２】
また、評価装置１００に関して、図示の各構成要素は機能概念的なものであり、必ずしも物理的に図示の如く構成されていることを要しない。
【０１０３】
例えば、評価装置１００が備える処理機能、特に制御部１０２にて行われる各処理機能については、その全部または任意の一部を、ＣＰＵおよび当該ＣＰＵにて解釈実行されるプログラムにて実現してもよく、また、ワイヤードロジックによるハードウェアとして実現してもよい。尚、プログラムは、情報処理装置に本発明にかかる評価方法または算出方法を実行させるためのプログラム化された命令を含む一時的でないコンピュータ読み取り可能な記録媒体に記録されており、必要に応じて評価装置１００に機械的に読み取られる。すなわち、ＲＯＭまたはＨＤＤ（Ｈａｒｄ  Ｄｉｓｋ  Ｄｒｉｖｅ）などの記憶部１０６などには、ＯＳと協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【０１０４】
また、このコンピュータプログラムは評価装置１００に対して任意のネットワークを介して接続されたアプリケーションプログラムサーバに記憶されていてもよく、必要に応じてその全部または一部をダウンロードすることも可能である。
【０１０５】
また、本発明にかかる評価プログラムまたは算出プログラムを、一時的でないコンピュータ読み取り可能な記録媒体に格納してもよく、また、プログラム製品として構成することもできる。ここで、この「記録媒体」とは、メモリーカード、ＵＳＢ（Ｕｎｉｖｅｒｓａｌ  Ｓｅｒｉａｌ  Ｂｕｓ）メモリ、ＳＤ（Ｓｅｃｕｒｅ  Ｄｉｇｉｔａｌ）カード、フレキシブルディスク、光磁気ディスク、ＲＯＭ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）（登録商標）、ＣＤ−ＲＯＭ（Ｃｏｍｐａｃｔ  Ｄｉｓｃ  Ｒｅａｄ  Ｏｎｌｙ  Ｍｅｍｏｒｙ）、ＭＯ（Ｍａｇｎｅｔｏ−Ｏｐｔｉｃａｌ  ｄｉｓｋ）、ＤＶＤ（Ｄｉｇｉｔａｌ  Ｖｅｒｓａｔｉｌｅ  Ｄｉｓｋ）、および、Ｂｌｕ−ｒａｙ（登録商標）  Ｄｉｓｃ等の任意の「可搬用の物理媒体」を含むものとする。
【０１０６】
また、「プログラム」とは、任意の言語または記述方法にて記述されたデータ処理方法であり、ソースコードまたはバイナリコード等の形式を問わない。なお、「プログラム」は必ずしも単一的に構成されるものに限られず、複数のモジュールやライブラリとして分散構成されるものや、ＯＳに代表される別個のプログラムと協働してその機能を達成するものをも含む。なお、実施形態に示した各装置において記録媒体を読み取るための具体的な構成および読み取り手順ならびに読み取り後のインストール手順等については、周知の構成や手順を用いることができる。
【０１０７】
記憶部１０６に格納される各種のデータベース等は、ＲＡＭ、ＲＯＭ等のメモリ装置、ハードディスク等の固定ディスク装置、フレキシブルディスク、および、光ディスク等のストレージ手段であり、各種処理やウェブサイト提供に用いる各種のプログラム、テーブル、データベース、および、ウェブページ用ファイル等を格納する。
【０１０８】
また、評価装置１００は、既知のパーソナルコンピュータまたはワークステーション等の情報処理装置として構成してもよく、また、任意の周辺装置が接続された当該情報処理装置として構成してもよい。また、評価装置１００は、当該情報処理装置に本発明の評価方法または算出方法を実現させるソフトウェア（プログラムまたはデータ等を含む）を実装することにより実現してもよい。
【０１０９】
更に、装置の分散・統合の具体的形態は図示するものに限られず、その全部または一部を、各種の付加等に応じてまたは機能負荷に応じて、任意の単位で機能的または物理的に分散・統合して構成することができる。すなわち、上述した実施形態を任意に組み合わせて実施してもよく、実施形態を選択的に実施してもよい。
【実施例１】
【０１１０】
胃癌の確定診断が行われた胃癌患者（胃癌群：３６名）、及び、性別、年齢及びＢＭＩを胃癌群とマッチングさせた、癌の既往歴及び罹患歴がない健常者（健常群：３６名）の血漿サンプルから、前述の代謝物分析法（Ａ）により血中代謝物濃度を測定した。
【０１１１】
３２種類の代謝物（１−Ｍｅ−Ｈｉｓ，３−Ｈｙｄｒｏｘｙｋｙｎｕｒｅｎｉｎｅ，３−Ｍｅ−Ｈｉｓ，５−ＨｙｄｒｏｘｙＴｒｐ，ａＡＢＡ，ａＡｉＢＡ，ＡＤＭＡ，Ａｍｉｎｏａｄｉｐｉｃ  ａｃｉｄ，ｂＡＢＡ，ｂＡｉＢＡ，Ｃａｄａｖｅｒｉｎｅ，ＧＡＢＡ，Ｈｏｍｏａｒｇｉｎｉｎｅ，Ｈｏｍｏｃｉｔｒｕｌｌｉｎｅ，Ｈｙｐｏｔａｕｒｉｎｅ，Ｈｙｄｒｏｘｙｐｒｏｌｉｎｅ，Ｋｉｎｕｒｅｎｉｎｅ，Ｌ−Ｃｙｓｔａｔｈｉｏｎｉｎｅ，Ｎ８−Ａｃｅｔｙｌｓｐｅｒｍｉｄｉｎｅ，Ｐｉｐｅｃｏｌｉｃ  ａｃｉｄ，Ｐｕｔｒｅｓｃｉｎｅ，ＳＡＨ，Ｓａｒｃｏｓｉｎｅ，Ｓｅｒｏｔｏｎｉｎ，Ｓｐｅｒｍｉｄｉｎｅ，Ｓｐｅｒｍｉｎｅ，Ｍｅｔｈｙｌｃｙｓｔｅｉｎｅ，Ａｌｌｙｌｃｙｓｔｅｉｎｅ，Ｐｒｏｐｙｌｃｙｓｔｅｉｎｅ，ＳＤＭＡ，Ｎ６−Ａｃｅｔｙｌ−Ｌ−Ｌｙｓ，Ｎ−Ｍｅ−ｂＡＢＡ）の血漿中濃度値（ｎｍｏｌ／ｍｌ）もしくはピーク面積値のデータを用いて、各代謝物について胃癌群と健常群の判別能をＲＯＣ＿ＡＵＣで評価した。表１に各代謝物の判別能を評価する際の指標となるＲＯＣ＿ＡＵＣを示す。
【０１１２】
【表１】
2019184257.tif 000003
【０１１３】
ノンパラメトリックの仮定のもとで帰無仮説を「ＲＯＣ＿ＡＵＣ＝０．５」とした場合の検定でＲＯＣ＿ＡＵＣが有意（ｐ＜０．０５）であった代謝物は、３−Ｈｙｄｒｏｘｙｋｙｎｕｒｅｎｉｎｅ，ＡＤＭＡ，ｂＡＢＡ，Ｋｙｎｕｒｅｎｉｎｅ，Ｌ−Ｃｙｓｔａｔｈｉｏｎｉｎｅ，Ｎ８−Ａｃｅｔｙｌｓｐｅｒｍｉｄｉｎｅ，Ｐｉｐｅｃｏｌｉｃ  ａｃｉｄ，Ｓｅｒｏｔｏｎｉｎ，Ｓｐｅｒｍｉｎｅ，ＳＤＭＡ，Ｎ−Ｍｅ−ｂＡＢＡであった。３−Ｈｙｄｒｏｘｙｋｙｎｕｒｅｎｉｎｅ，Ｐｉｐｅｃｏｌｉｃ  ａｃｉｄ，Ｓｅｒｏｔｏｎｉｎ，Ｓｐｅｒｍｉｎｅは胃癌群で有意に減少し、ＡＤＭＡ，ｂＡＢＡ，Ｋｙｎｕｒｅｎｉｎｅ，Ｌ−Ｃｙｓｔａｔｈｉｏｎｉｎｅ，Ｎ８−Ａｃｅｔｙｌｓｐｅｒｍｉｄｉｎｅ，ＳＤＭＡ，Ｎ−Ｍｅ−ｂＡＢＡは胃癌群で有意に増加した。これらの代謝物の濃度値は、ＲＯＣ＿ＡＵＣが有意であることから、健常の状態を考慮した、胃癌の状態の評価において有用なものであると考えられる。
【実施例２】
【０１１４】
実施例１で得られたサンプルデータを用いた。血漿中の代謝物濃度値もしくはピーク面積値が代入される変数を含む、胃癌群と健常群との２群を判別するための多変量判別式（多変量関数）を求めた。
【０１１５】
多変量判別式としてロジスティック回帰式を用いた。ロジスティック回帰式に含める２個の変数の組み合わせを、上記３２種類の代謝物のうち少なくとも１つを必須としたうえで、２０種類のアミノ酸（Ｇｌｕ，Ａｓｎ，Ｈｉｓ，Ｔｈｒ，Ａｌａ，Ｃｉｔ，Ａｒｇ，Ｔｙｒ，Ｖａｌ，Ｍｅｔ，Ｌｙｓ，Ｔｒｐ，Ｇｌｙ，Ｐｒｏ，Ｏｒｎ，Ｉｌｅ，Ｌｅｕ，Ｐｈｅ，Ｓｅｒ，Ｇｌｎ）および上記３２種類の代謝物から探索し、胃癌群と健常群の判別能が良好なロジスティック回帰式の探索を実施した。
【０１１６】
胃癌群と健常群のＲＯＣ＿ＡＵＣ値が０．７００以上で、変数の個数が２個のロジスティック回帰式の一覧を、以下の［１１．２変数の式］に示した。これらのロジスティック回帰式は、ＲＯＣ＿ＡＵＣ値が高いことから、前記の評価において有用なものであると考えられる。なお、以下の［１１．２変数の式］には、各式に関して、式に含まれる変数とＲＯＣ＿ＡＵＣ値が示されている（以下同様）。
【実施例３】
【０１１７】
実施例１で用いたサンプルデータを用いた。血漿中の代謝物濃度値もしくはピーク面積値が代入される変数を含む、胃癌群と健常群との２群を判別するための多変量判別式（多変量関数）を求めた。
【０１１８】
多変量判別式としてロジスティック回帰式を用いた。Ａｌａ，Ｖａｌ，Ｌｅｕ，Ｈｉｓ，Ｔｒｐ，Ｌｙｓの６個のアミノ酸を変数とする、胃癌群と健常群のＲＯＣ＿ＡＵＣ値が０．７３６９であるロジスティック回帰式に追加する１個の変数または２個の変数の組み合わせを、上記３２種類の代謝物から探索し、胃癌群と健常群の判別能が良好なロジスティック回帰式の探索を実施した。
【０１１９】
追加される変数が１個の場合の探索において、胃癌群と健常群のＲＯＣ＿ＡＵＣ値が前記０．７３６９以上となるロジスティック回帰式に追加された代謝物を、以下の［１２．１変数追加］に示した。また、追加される変数が２個の場合の探索において、胃癌群と健常群のＲＯＣ＿ＡＵＣ値が前記０．７３６９以上となるロジスティック回帰式に追加された代謝物を、［１３．２変数追加］に示した。これらのロジスティック回帰式は、ＲＯＣ＿ＡＵＣ値が高いことから、前記の評価において有用なものであると考えられる。
【産業上の利用可能性】
【０１２０】
以上のように、本発明は、産業上の多くの分野、特に医薬品や食品、医療などの分野で広く実施することができ、特に、胃癌の状態の進行予測や疾病リスク予測やプロテオームやメタボローム解析などを行うバイオインフォマティクス分野において極めて有用である。
【符号の説明】
【０１２１】
１００  評価装置（算出装置を含む）
１０２  制御部
１０２ａ  取得部
１０２ｂ  指定部
１０２ｃ  式作成部
１０２ｄ  評価部
１０２ｄ１  算出部
１０２ｄ２  変換部
１０２ｄ３  生成部
１０２ｄ４  分類部
１０２ｅ  結果出力部
１０２ｆ  送信部
１０４  通信インターフェース部
１０６  記憶部
１０６ａ  濃度データファイル
１０６ｂ  指標状態情報ファイル
１０６ｃ  指定指標状態情報ファイル
１０６ｄ  式関連情報データベース
１０６ｄ１  式ファイル
１０６ｅ  評価結果ファイル
１０８  入出力インターフェース部
１１２  入力装置
１１４  出力装置
２００  クライアント装置（端末装置（情報通信端末装置））
３００  ネットワーク
４００  データベース装置
【０１２２】
［１１．２変数の式］
1-Me-His,N-Me-bABA,1.0000;Kynurenine,N-Me-bABA,1.0000;His,N-Me-bABA,0.9992;Val,N-Me-bABA,0.9992;Leu,N-Me-bABA,0.9992;Aminoadipic  acid,N-Me-bABA,0.9992;Homoarginine,N-Me-bABA,0.9992;Homocitrulline,N-Me-bABA,0.9992;Ile,N-Me-bABA,0.9985;Cadaverine,N-Me-bABA,0.9985;GABA,N-Me-bABA,0.9985;Hypotaurine,N-Me-bABA,0.9985;SDMA,N-Me-bABA,0.9985;N6-Acetyl-L-Lys,N-Me-bABA,0.9985;Glu,N-Me-bABA,0.9977;Asn,N-Me-bABA,0.9977;Tyr,N-Me-bABA,0.9977;Lys,N-Me-bABA,0.9977;3-Me-His,N-Me-bABA,0.9977;5-HydroxyTrp,N-Me-bABA,0.9977;bAiBA,N-Me-bABA,0.9977;N8-Acetylspermidine,N-Me-bABA,0.9977;Putrescine,N-Me-bABA,0.9977;Sarcosine,N-Me-bABA,0.9977;Methylcystein,N-Me-bABA,0.9977;Allylcysteine,N-Me-bABA,0.9977;Propylcysteine,N-Me-bABA,0.9977;Gly,N-Me-bABA,0.9969;Gln,N-Me-bABA,0.9969;Thr,N-Me-bABA,0.9969;Ala,N-Me-bABA,0.9969;Cit,N-Me-bABA,0.9969;Arg,N-Me-bABA,0.9969;Pro,N-Me-bABA,0.9969;Met,N-Me-bABA,0.9969;Phe,N-Me-bABA,0.9969;3-Hydroxykynurenine,N-Me-bABA,0.9969;aABA,N-Me-bABA,0.9969;aAiBA,N-Me-bABA,0.9969;bABA,N-Me-bABA,0.9969;Hydroxyproline,N-Me-bABA,0.9969;L-Cystathionine,N-Me-bABA,0.9969;Pipecolic  acid,N-Me-bABA,0.9969;SAH,N-Me-bABA,0.9969;Serotonin,N-Me-bABA,0.9969;Spermidine,N-Me-bABA,0.9969;Spermine,N-Me-bABA,0.9969;Trp,N-Me-bABA,0.9961;ADMA,N-Me-bABA,0.9961;Ser,N-Me-bABA,0.9954;Orn,N-Me-bABA,0.9954;3-Hydroxykynurenine,bABA,0.9244;bABA,L-Cystathionine,0.9174;His,bABA,0.9136;Glu,bABA,0.9059;bABA,SDMA,0.9051;bABA,Pipecolic  acid,0.9043;bABA,Serotonin,0.9035;Glu,L-Cystathionine,0.9005;bABA,Spermine,0.8981;Pro,bABA,0.8935;Lys,bABA,0.8935;bABA,N6-Acetyl-L-Lys,0.8912;aABA,bABA,0.8904;5-HydroxyTrp,bABA,0.8897;bABA,Homocitrulline,0.8897;bABA,Methylcystein,0.8897;bABA,Allylcysteine,0.8889;1-Me-His,bABA,0.8881;3-Me-His,bABA,0.8858;Met,bABA,0.8850;ADMA,bABA,0.8850;Aminoadipic  acid,bABA,0.8850;bABA,Spermidine,0.8843;His,Serotonin,0.8835;bABA,Kynurenine,0.8835;bABA,SAH,0.8835;Thr,bABA,0.8827;bABA,Hypotaurine,0.8827;bABA,Propylcysteine,0.8827;Trp,bABA,0.8819;bABA,N8-Acetylspermidine,0.8819;Gly,bABA,0.8812;Orn,bABA,0.8804;Ala,bABA,0.8796;Tyr,bABA,0.8789;Phe,bABA,0.8789;bABA,bAiBA,0.8789;Ser,bABA,0.8781;Ile,bABA,0.8781;bABA,GABA,0.8781;bABA,Homoarginine,0.8781;Cit,bABA,0.8773;bABA,Hydroxyproline,0.8773;bABA,Putrescine,0.8773;bABA,Sarcosine,0.8773;Asn,bABA,0.8765;Leu,bABA,0.8765;Gln,bABA,0.8758;Arg,bABA,0.8758;Val,bABA,0.8742;aAiBA,bABA,0.8742;bABA,Cadaverine,0.8742;Trp,Serotonin,0.8665;Glu,3-Hydroxykynurenine,0.8619;L-Cystathionine,Serotonin,0.8619;aAiBA,Serotonin,0.8603;Glu,Serotonin,0.8596;Kynurenine,Serotonin,0.8596;Ala,Serotonin,0.8580;ADMA,Serotonin,0.8565;Serotonin,Allylcysteine,0.8565;Thr,Serotonin,0.8557;3-Hydroxykynurenine,Serotonin,0.8557;Ser,Serotonin,0.8549;Serotonin,Spermine,0.8549;Serotonin,Methylcystein,0.8549;Pro,Serotonin,0.8534;Cadaverine,Serotonin,0.8526;Hypotaurine,Serotonin,0.8526;N8-Acetylspermidine,Serotonin,0.8526;Cit,Serotonin,0.8519;Gly,Serotonin,0.8511;Arg,Serotonin,0.8511;5-HydroxyTrp,Serotonin,0.8511;1-Me-His,Serotonin,0.8503;Serotonin,Spermidine,0.8503;Putrescine,Serotonin,0.8495;SAH,Serotonin,0.8495;Ile,Serotonin,0.8488;Aminoadipic  acid,Serotonin,0.8480;Homoarginine,Serotonin,0.8480;Phe,Serotonin,0.8472;GABA,Serotonin,0.8472;Serotonin,N6-Acetyl-L-Lys,0.8472;Gln,Serotonin,0.8465;Val,Serotonin,0.8465;Orn,Serotonin,0.8465;Leu,Serotonin,0.8465;Pipecolic  acid,Serotonin,0.8457;Serotonin,SDMA,0.8449;aABA,Serotonin,0.8441;His,L-Cystathionine,0.8434;Met,Serotonin,0.8434;Sarcosine,Serotonin,0.8426;Tyr,Serotonin,0.8403;Asn,Serotonin,0.8395;Serotonin,Propylcysteine,0.8387;Glu,SDMA,0.8364;Homocitrulline,Serotonin,0.8364;Lys,Serotonin,0.8349;bAiBA,Serotonin,0.8349;Hydroxyproline,Serotonin,0.8341;His,3-Hydroxykynurenine,0.8333;3-Hydroxykynurenine,SAH,0.8326;Glu,ADMA,0.8310;His,SDMA,0.8302;L-Cystathionine,SAH,0.8302;Trp,L-Cystathionine,0.8295;L-Cystathionine,Spermine,0.8287;Trp,3-Hydroxykynurenine,0.8248;3-Me-His,Serotonin,0.8241;3-Hydroxykynurenine,5-HydroxyTrp,0.8171;Glu,Aminoadipic  acid,0.8148;L-Cystathionine,SDMA,0.8148;Glu,Kynurenine,0.8140;1-Me-His,L-Cystathionine,0.8125;3-Hydroxykynurenine,Methylcystein,0.8117;Gly,L-Cystathionine,0.8110;5-HydroxyTrp,L-Cystathionine,0.8102;SAH,SDMA,0.8094;Pro,3-Hydroxykynurenine,0.8071;Hypotaurine,L-Cystathionine,0.8056;3-Hydroxykynurenine,Pipecolic  acid,0.8025;L-Cystathionine,Methylcystein,0.8025;3-Hydroxykynurenine,Propylcysteine,0.8002;3-Hydroxykynurenine,L-Cystathionine,0.7978;Tyr,L-Cystathionine,0.7971;3-Hydroxykynurenine,Spermine,0.7971;L-Cystathionine,Allylcysteine,0.7971;3-Hydroxykynurenine,Allylcysteine,0.7963;Ser,3-Hydroxykynurenine,0.7955;Gly,3-Hydroxykynurenine,0.7948;Glu,Pipecolic  acid,0.7940;Val,L-Cystathionine,0.7940;1-Me-His,3-Hydroxykynurenine,0.7940;L-Cystathionine,Pipecolic  acid,0.7940;Glu,N8-Acetylspermidine,0.7924;Leu,L-Cystathionine,0.7924;Lys,L-Cystathionine,0.7917;bAiBA,L-Cystathionine,0.7917;L-Cystathionine,Propylcysteine,0.7917;Pro,L-Cystathionine,0.7909;Ala,L-Cystathionine,0.7901;L-Cystathionine,Spermidine,0.7901;Glu,3-Me-His,0.7894;Glu,Spermine,0.7886;Glu,Homocitrulline,0.7878;Asn,L-Cystathionine,0.7878;3-Hydroxykynurenine,Hydroxyproline,0.7878;Thr,L-Cystathionine,0.7870;Cit,3-Hydroxykynurenine,0.7870;Tyr,3-Hydroxykynurenine,0.7870;ADMA,L-Cystathionine,0.7870;Glu,1-Me-His,0.7863;Met,L-Cystathionine,0.7863;L-Cystathionine,N8-Acetylspermidine,0.7863;Ser,L-Cystathionine,0.7855;3-Hydroxykynurenine,Sarcosine,0.7847;3-Me-His,L-Cystathionine,0.7847;Glu,N6-Acetyl-L-Lys,0.7840;Arg,L-Cystathionine,0.7840;3-Hydroxykynurenine,N8-Acetylspermidine,0.7840;aABA,L-Cystathionine,0.7840;L-Cystathionine,N6-Acetyl-L-Lys,0.7840;Glu,Spermidine,0.7832;3-Hydroxykynurenine,Aminoadipic  acid,0.7832;3-Hydroxykynurenine,bAiBA,0.7832;Hydroxyproline,L-Cystathionine,0.7832;Ile,3-Hydroxykynurenine,0.7824;3-Hydroxykynurenine,Homoarginine,0.7824;aAiBA,L-Cystathionine,0.7824;Thr,3-Hydroxykynurenine,0.7816;Ile,L-Cystathionine,0.7816;3-Hydroxykynurenine,Homocitrulline,0.7816;Homocitrulline,L-Cystathionine,0.7816;3-Hydroxykynurenine,Cadaverine,0.7809;3-Hydroxykynurenine,Spermidine,0.7809;Aminoadipic  acid,L-Cystathionine,0.7809;Kynurenine,L-Cystathionine,0.7809;Phe,L-Cystathionine,0.7801;L-Cystathionine,Putrescine,0.7801;Ala,3-Hydroxykynurenine,0.7793;Lys,3-Hydroxykynurenine,0.7793;Trp,SDMA,0.7793;Gln,L-Cystathionine,0.7785;Orn,3-Hydroxykynurenine,0.7785;Orn,L-Cystathionine,0.7785;3-Hydroxykynurenine,SDMA,0.7785;GABA,L-Cystathionine,0.7785;Cit,L-Cystathionine,0.7778;3-Hydroxykynurenine,3-Me-His,0.7778;3-Hydroxykynurenine,aABA,0.7778;L-Cystathionine,Sarcosine,0.7778;Trp,Spermine,0.7770;3-Hydroxykynurenine,Kynurenine,0.7770;3-Hydroxykynurenine,Putrescine,0.7770;Glu,Hydroxyproline,0.7762;Val,3-Hydroxykynurenine,0.7762;Leu,3-Hydroxykynurenine,0.7762;Homoarginine,L-Cystathionine,0.7762;Gln,3-Hydroxykynurenine,0.7747;3-Hydroxykynurenine,aAiBA,0.7747;3-Hydroxykynurenine,N6-Acetyl-L-Lys,0.7747;Asn,3-Hydroxykynurenine,0.7739;3-Hydroxykynurenine,ADMA,0.7739;His,ADMA,0.7724;Arg,3-Hydroxykynurenine,0.7724;His,Spermine,0.7716;Met,3-Hydroxykynurenine,0.7716;3-Hydroxykynurenine,GABA,0.7716;Glu,Cadaverine,0.7708;Phe,3-Hydroxykynurenine,0.7708;3-Hydroxykynurenine,Hypotaurine,0.7708;His,Homocitrulline,0.7701;Cadaverine,L-Cystathionine,0.7701;Glu,Methylcystein,0.7693;Trp,Aminoadipic  acid,0.7685;Glu,5-HydroxyTrp,0.7662;Glu,aAiBA,0.7662;Glu,aABA,0.7639;Glu,Hypotaurine,0.7639;His,3-Me-His,0.7639;His,N6-Acetyl-L-Lys,0.7639;Glu,GABA,0.7623;Gly,SDMA,0.7623;Glu,SAH,0.7600;Glu,Homoarginine,0.7585;Methylcystein,SDMA,0.7569;Trp,N6-Acetyl-L-Lys,0.7562;Glu,bAiBA,0.7554;Pro,SDMA,0.7554;5-HydroxyTrp,SDMA,0.7554;Glu,Propylcysteine,0.7546;Ser,SDMA,0.7546;Glu,Sarcosine,0.7531;His,Kynurenine,0.7523;Trp,Kynurenine,0.7523;Glu,Putrescine,0.7515;Orn,SDMA,0.7515;1-Me-His,SDMA,0.7515;N8-Acetylspermidine,Spermine,0.7515;Allylcysteine,SDMA,0.7515;Spermine,SDMA,0.7508;His,Aminoadipic  acid,0.7492;Leu,SDMA,0.7477;Glu,Allylcysteine,0.7469;Thr,SDMA,0.7469;Trp,Methylcystein,0.7469;Trp,3-Me-His,0.7446;Trp,N8-Acetylspermidine,0.7446;Val,SDMA,0.7431;N8-Acetylspermidine,SDMA,0.7431;Spermidine,SDMA,0.7431;Propylcysteine,SDMA,0.7431;SDMA,N6-Acetyl-L-Lys,0.7431;Met,SDMA,0.7423;ADMA,SDMA,0.7423;Hypotaurine,SDMA,0.7423;Kynurenine,SDMA,0.7423;Lys,SDMA,0.7392;His,Allylcysteine,0.7384;Lys,Aminoadipic  acid,0.7377;Lys,N6-Acetyl-L-Lys,0.7377;Trp,Homocitrulline,0.7377;Trp,Sarcosine,0.7369;Trp,Cadaverine,0.7361;Aminoadipic  acid,SDMA,0.7361;Sarcosine,SDMA,0.7361;Trp,Hypotaurine,0.7353;Tyr,SDMA,0.7346;Cadaverine,SDMA,0.7346;Gly,N8-Acetylspermidine,0.7338;His,5-HydroxyTrp,0.7338;Trp,Allylcysteine,0.7338;Hydroxyproline,SDMA,0.7338;N8-Acetylspermidine,SAH,0.7338;Trp,ADMA,0.7330;aABA,SDMA,0.7323;N8-Acetylspermidine,Methylcystein,0.7323;Trp,Hydroxyproline,0.7315;Putrescine,SDMA,0.7315;His,Hypotaurine,0.7307;His,N8-Acetylspermidine,0.7307;His,Methylcystein,0.7307;Trp,1-Me-His,0.7307;3-Me-His,SDMA,0.7299;GABA,SDMA,0.7299;Asn,SDMA,0.7292;Trp,aAiBA,0.7292;Trp,Spermidine,0.7292;Pipecolic  acid,SDMA,0.7292;Ala,SDMA,0.7284;Arg,SDMA,0.7284;Ile,SDMA,0.7284;Trp,SAH,0.7284;ADMA,Spermine,0.7284;bAiBA,SDMA,0.7284;Homocitrulline,SDMA,0.7276;Gln,SDMA,0.7269;Trp,Propylcysteine,0.7269;aAiBA,SDMA,0.7269;Phe,SDMA,0.7261;Trp,5-HydroxyTrp,0.7261;Trp,Pipecolic  acid,0.7253;Spermine,N6-Acetyl-L-Lys,0.7253;Homoarginine,SDMA,0.7245;Lys,ADMA,0.7238;His,Hydroxyproline,0.7230;Trp,bAiBA,0.7230;1-Me-His,3-Me-His,0.7230;Trp,Homoarginine,0.7222;Cit,SDMA,0.7215;Trp,Putrescine,0.7215;Kynurenine,Spermine,0.7199;Trp,aABA,0.7168;Cadaverine,Pipecolic  acid,0.7168;His,1-Me-His,0.7160;Trp,GABA,0.7153;Orn,Spermine,0.7145;Lys,N8-Acetylspermidine,0.7137;1-Me-His,N8-Acetylspermidine,0.7137;His,Propylcysteine,0.7130;Pipecolic  acid,N6-Acetyl-L-Lys,0.7130;Gly,Kynurenine,0.7114;Pro,N8-Acetylspermidine,0.7114;N8-Acetylspermidine,N6-Acetyl-L-Lys,0.7114;Lys,Spermine,0.7099;His,Pipecolic  acid,0.7076;Homocitrulline,N8-Acetylspermidine,0.7076;1-Me-His,Kynurenine,0.7068;N8-Acetylspermidine,Pipecolic  acid,0.7068;His,bAiBA,0.7060;Spermine,Propylcysteine,0.7060;Lys,3-Me-His,0.7052;3-Me-His,N8-Acetylspermidine,0.7037;ADMA,Cadaverine,0.7029;ADMA,N8-Acetylspermidine,0.7029;His,Sarcosine,0.7022;Thr,N8-Acetylspermidine,0.7014;Lys,Kynurenine,0.7014;5-HydroxyTrp,Kynurenine,0.7014;ADMA,SAH,0.7006
【０１２３】
［１２．１変数追加］
N-Me-bABA,0.9992;bABA,0.8997;Serotonin,0.8711;L-Cystathionine,0.8372;3-Hydroxykynurenine,0.8349;SDMA,0.8056;Spermine,0.7955;Homocitrulline,0.7948;Methylcystein,0.7940;N6-Acetyl-L-Lys,0.7940;3-Me-His,0.7878;Sarcosine,0.7693;Allylcysteine,0.7670;ADMA,0.7654;Aminoadipic  acid,0.7654;Hydroxyproline,0.7647;Hypotaurine,0.7623;Spermidine,0.7577;Kynurenine,0.7539;Propylcysteine,0.7539;bAiBA,0.7531;Pipecolic  acid,0.7523;1-Me-His,0.7508;aAiBA,0.7492;5-HydroxyTrp,0.7446;Homoarginine,0.7431;N8-Acetylspermidine,0.7431;aABA,0.7415;Cadaverine,0.7392;GABA,0.7377
【０１２４】
［１３．２変数追加］
1-Me-His,N-Me-bABA,1.0000;aABA,N-Me-bABA,1.0000;Aminoadipic  acid,N-Me-bABA,1.0000;GABA,N-Me-bABA,1.0000;Homoarginine,N-Me-bABA,1.0000;Homocitrulline,N-Me-bABA,1.0000;Hypotaurine,N-Me-bABA,1.0000;Hydroxyproline,N-Me-bABA,1.0000;Kynurenine,N-Me-bABA,1.0000;Pipecolic  acid,N-Me-bABA,1.0000;SAH,N-Me-bABA,1.0000;Sarcosine,N-Me-bABA,1.0000;Spermidine,N-Me-bABA,1.0000;Methylcystein,N-Me-bABA,1.0000;Allylcysteine,N-Me-bABA,1.0000;Propylcysteine,N-Me-bABA,1.0000;SDMA,N-Me-bABA,1.0000;3-Hydroxykynurenine,N-Me-bABA,0.9992;3-Me-His,N-Me-bABA,0.9992;5-HydroxyTrp,N-Me-bABA,0.9992;aAiBA,N-Me-bABA,0.9992;ADMA,N-Me-bABA,0.9992;bABA,N-Me-bABA,0.9992;bAiBA,N-Me-bABA,0.9992;Cadaverine,N-Me-bABA,0.9992;L-Cystathionine,N-Me-bABA,0.9992;N8-Acetylspermidine,N-Me-bABA,0.9992;Putrescine,N-Me-bABA,0.9992;Serotonin,N-Me-bABA,0.9992;Spermine,N-Me-bABA,0.9992;N6-Acetyl-L-Lys,N-Me-bABA,0.9992;3-Hydroxykynurenine,bABA,0.9483;bABA,L-Cystathionine,0.9468;bABA,Allylcysteine,0.9259;aABA,bABA,0.9213;bABA,Serotonin,0.9198;bABA,Kynurenine,0.9151;bABA,SDMA,0.9144;bABA,Pipecolic  acid,0.9128;bABA,Methylcystein,0.9128;1-Me-His,bABA,0.9090;bABA,Homocitrulline,0.9090;bABA,Spermine,0.9090;bABA,N6-Acetyl-L-Lys,0.9082;5-HydroxyTrp,bABA,0.9074;Aminoadipic  acid,bABA,0.9066;3-Me-His,bABA,0.9059;bABA,Hypotaurine,0.9051;bABA,SAH,0.9051;aAiBA,bABA,0.9043;bABA,Putrescine,0.9035;bABA,Sarcosine,0.9035;bABA,Propylcysteine,0.9035;L-Cystathionine,Serotonin,0.9035;bABA,bAiBA,0.9020;L-Cystathionine,SAH,0.9020;bABA,N8-Acetylspermidine,0.9012;bABA,Spermidine,0.9012;ADMA,bABA,0.9005;bABA,Cadaverine,0.8997;bABA,Hydroxyproline,0.8997;bABA,Homoarginine,0.8989;bABA,GABA,0.8981;3-Hydroxykynurenine,Serotonin,0.8974;L-Cystathionine,Allylcysteine,0.8974;Kynurenine,Serotonin,0.8943;Serotonin,Allylcysteine,0.8912;Homocitrulline,Serotonin,0.8904;Serotonin,Methylcystein,0.8881;Serotonin,N6-Acetyl-L-Lys,0.8881;aABA,Serotonin,0.8866;L-Cystathionine,Spermine,0.8858;bAiBA,Serotonin,0.8835;ADMA,Serotonin,0.8819;Hydroxyproline,Serotonin,0.8812;Sarcosine,Serotonin,0.8812;3-Me-His,Serotonin,0.8804;N8-Acetylspermidine,Serotonin,0.8796;Aminoadipic  acid,Serotonin,0.8789;Homoarginine,Serotonin,0.8789;Serotonin,SDMA,0.8773;GABA,Serotonin,0.8758;1-Me-His,Serotonin,0.8750;3-Hydroxykynurenine,L-Cystathionine,0.8742;aAiBA,Serotonin,0.8735;Putrescine,Serotonin,0.8735;Serotonin,Propylcysteine,0.8735;Pipecolic  acid,Serotonin,0.8727;3-Hydroxykynurenine,SAH,0.8719;5-HydroxyTrp,Serotonin,0.8719;Cadaverine,Serotonin,0.8711;SAH,Serotonin,0.8711;Hypotaurine,Serotonin,0.8696;Serotonin,Spermidine,0.8688;Serotonin,Spermine,0.8688;L-Cystathionine,Methylcystein,0.8665;5-HydroxyTrp,L-Cystathionine,0.8650;3-Hydroxykynurenine,Allylcysteine,0.8642;3-Hydroxykynurenine,Methylcystein,0.8619;3-Hydroxykynurenine,5-HydroxyTrp,0.8611;1-Me-His,L-Cystathionine,0.8596;Hypotaurine,L-Cystathionine,0.8580;3-Hydroxykynurenine,aAiBA,0.8573;3-Hydroxykynurenine,Spermine,0.8526;SAH,SDMA,0.8519;1-Me-His,3-Hydroxykynurenine,0.8511;L-Cystathionine,SDMA,0.8495;bAiBA,L-Cystathionine,0.8480;3-Hydroxykynurenine,Propylcysteine,0.8472;3-Hydroxykynurenine,aABA,0.8465;Allylcysteine,SDMA,0.8457;3-Hydroxykynurenine,Aminoadipic  acid,0.8449;3-Hydroxykynurenine,Homocitrulline,0.8441;3-Hydroxykynurenine,SDMA,0.8434;3-Hydroxykynurenine,Pipecolic  acid,0.8426;3-Hydroxykynurenine,Putrescine,0.8426;3-Me-His,L-Cystathionine,0.8418;Homoarginine,L-Cystathionine,0.8418;ADMA,L-Cystathionine,0.8410;Kynurenine,L-Cystathionine,0.8410;L-Cystathionine,Propylcysteine,0.8410;L-Cystathionine,N6-Acetyl-L-Lys,0.8410;3-Hydroxykynurenine,Sarcosine,0.8403;3-Hydroxykynurenine,N6-Acetyl-L-Lys,0.8403;Homocitrulline,L-Cystathionine,0.8395;L-Cystathionine,N8-Acetylspermidine,0.8395;3-Hydroxykynurenine,Homoarginine,0.8387;aABA,L-Cystathionine,0.8387;aAiBA,L-Cystathionine,0.8387;L-Cystathionine,Pipecolic  acid,0.8387;L-Cystathionine,Spermidine,0.8387;Methylcystein,SDMA,0.8387;3-Hydroxykynurenine,GABA,0.8380;3-Hydroxykynurenine,Spermidine,0.8380;3-Hydroxykynurenine,3-Me-His,0.8372;3-Hydroxykynurenine,Cadaverine,0.8372;Cadaverine,L-Cystathionine,0.8372;GABA,L-Cystathionine,0.8372;L-Cystathionine,Sarcosine,0.8372;3-Hydroxykynurenine,N8-Acetylspermidine,0.8364;Aminoadipic  acid,L-Cystathionine,0.8364;L-Cystathionine,Putrescine,0.8364;3-Hydroxykynurenine,bAiBA,0.8356;Hydroxyproline,L-Cystathionine,0.8349;3-Hydroxykynurenine,Hydroxyproline,0.8341;3-Hydroxykynurenine,ADMA,0.8333;Spermine,SDMA,0.8333;3-Hydroxykynurenine,Kynurenine,0.8326;3-Hydroxykynurenine,Hypotaurine,0.8318;Homocitrulline,Spermine,0.8310;Spermine,Methylcystein,0.8287;Kynurenine,Spermine,0.8272;Allylcysteine,N6-Acetyl-L-Lys,0.8256;Spermine,N6-Acetyl-L-Lys,0.8248;3-Me-His,Spermine,0.8202;Sarcosine,Spermine,0.8202;Sarcosine,SDMA,0.8202;Hydroxyproline,SDMA,0.8194;Hypotaurine,SDMA,0.8187;Spermine,Allylcysteine,0.8179;Kynurenine,Methylcystein,0.8171;Homocitrulline,Methylcystein,0.8156;1-Me-His,3-Me-His,0.8148;Propylcysteine,SDMA,0.8148;5-HydroxyTrp,SDMA,0.8140;aAiBA,SDMA,0.8140;bAiBA,Spermine,0.8133;Homocitrulline,SAH,0.8133;Hydroxyproline,Spermine,0.8133;Putrescine,SDMA,0.8125;Spermidine,Spermine,0.8125;1-Me-His,SDMA,0.8117;N8-Acetylspermidine,Spermine,0.8117;1-Me-His,N6-Acetyl-L-Lys,0.8110;ADMA,Spermine,0.8110;Aminoadipic  acid,Spermine,0.8110;bAiBA,SDMA,0.8110;Spermidine,SDMA,0.8110;Aminoadipic  acid,SDMA,0.8102;Methylcystein,Propylcysteine,0.8102;3-Me-His,N6-Acetyl-L-Lys,0.8094;Kynurenine,Allylcysteine,0.8094;SDMA,N6-Acetyl-L-Lys,0.8094;aABA,SDMA,0.8086;Aminoadipic  acid,Methylcystein,0.8086;Kynurenine,SDMA,0.8086;3-Me-His,Methylcystein,0.8079;Hypotaurine,N6-Acetyl-L-Lys,0.8079;ADMA,SDMA,0.8071;Homocitrulline,SDMA,0.8071;Homocitrulline,Hypotaurine,0.8063;Homocitrulline,Sarcosine,0.8063;Pipecolic  acid,Allylcysteine,0.8063;1-Me-His,Homocitrulline,0.8056;3-Me-His,SDMA,0.8056;ADMA,Allylcysteine,0.8056;Homoarginine,SDMA,0.8056;N8-Acetylspermidine,SDMA,08056;Spermine,Propylcysteine,0.8056;Methylcystein,N6-Acetyl-L-Lys,0.8048;aAiBA,N6-Acetyl-L-Lys,0.8040;Homocitrulline,Allylcysteine,0.8040;Cadaverine,SDMA,0.8032;GABA,Spermine,0.8032;Pipecolic  acid,N6-Acetyl-L-Lys,0.8032;Homocitrulline,Hydroxyproline,0.8025;5-HydroxyTrp,N6-Acetyl-L-Lys,0.8017;GABA,SDMA,0.8017;3-Me-His,aAiBA,0.8009;Hypotaurine,Methylcystein,0.8009;Pipecolic  acid,SDMA,0.8009;Sarcosine,N6-Acetyl-L-Lys,0.8009;3-Me-His,Homocitrulline,0.8002;3-Me-His,Sarcosine,0.8002;5-HydroxyTrp,Homocitrulline,0.8002;Spermidine,N6-Acetyl-L-Lys,0.8002;Aminoadipic  acid,Homocitrulline,0.7994;bAiBA,N6-Acetyl-L-Lys,0.7994;3-Me-His,5-HydroxyTrp,0.7986;Homocitrulline,Propylcysteine,0.7986;Hydroxyproline,N6-Acetyl-L-Lys,0.7986;aAiBA,Spermine,0.7978;3-Me-His,SAH,0.7971;Homocitrulline,N6-Acetyl-L-Lys,0.7971;1-Me-His,Spermine,0.7963;aABA,N6-Acetyl-L-Lys,0.7963;Homoarginine,Spermine,0.7963;N8-Acetylspermidine,Methylcystein,0.7963;Pipecolic  acid,Spermine,0.7963;1-Me-His,Methylcystein,0.7955;3-Me-His,bAiBA,0.7955;aABA,Spermine,0.7955;Aminoadipic  acid,N6-Acetyl-L-Lys,0.7955;Pipecolic  acid,Methylcystein,0.7955;3-Me-His,Aminoadipic  acid,0.7948;3-Me-His,Allylcysteine,0.7948;GABA,N6-Acetyl-L-Lys,0.7948;bAiBA,Homocitrulline,0.7940;SAH,Spermine,0.7940;Sarcosine,Methylcystein,0.7940;3-Me-His,Pipecolic  acid,0.7932;GABA,Methylcystein,0.7932;Putrescine,Methylcystein,0.7932;3-Me-His,Hydroxyproline,0.7924;bAiBA,Sarcosine,0.7924;Spermidine,Methylcystein,0.7924;3-Me-His,Propylcysteine,0.7917;ADMA,Methylcystein,0.7917;Cadaverine,Methylcystein,0.7917;GABA,Homocitrulline,0.7917;Homoarginine,Homocitrulline,0.7917;Homoarginine,N6-Acetyl-L-Lys,0.7917;3-Me-His,aABA,0.7909;3-Me-His,Hypotaurine,0.7909;3-Me-His,Spermidine,0.7909;Aminoadipic  acid,Allylcysteine,0.7909;Hypotaurine,Spermine,0.7909;Hydroxyproline,Methylcystein,0.7909;Putrescine,N6-Acetyl-L-Lys,0.7909;SAH,Methylcystein,0.7909;SAH,N6-Acetyl-L-Lys,0.7901;3-Me-His,Putrescine,0.7901;5-HydroxyTrp,Spermine,0.7901;5-HydroxyTrp,Methylcystein,0.7901;aABA,Methylcystein,0.7901;Homocitrulline,Pipecolic  acid,0.7901;Homocitrulline,Spermidine,0.7901;aAiBA,Methylcystein,0.7894;Cadaverine,Spermine,0.7894;Homoarginine,Methylcystein,0.7894;3-Me-His,Homoarginine,0.7886;aAiBA,Sarcosine,0.7886;ADMA,Homocitrulline,0.7886;bAiBA,Methylcystein,0.7886;Putrescine,Spermine,0.7886;Propylcysteine,N6-Acetyl-L-Lys,0.7878;aABA,Homocitrulline,0.7870;bAiBA,Hydroxyproline,0.7870;3-Me-His,GABA,0.7863;aAiBA,Homocitrulline,0.7863;Cadaverine,Homocitrulline,0.7863;3-Me-His,Cadaverine,0.7855;ADMA,Propylcysteine,0.7855;ADMA,N6-Acetyl-L-Lys,0.7855;Cadaverine,N6-Acetyl-L-Lys,0.7855;Hypotaurine,Sarcosine,0.7855;Kynurenine,SAH,0.7855;Hypotaurine,Hydroxyproline,0.7847;Sarcosine,Allylcysteine,0.7847;Homocitrulline,N8-Acetylspermidine,0.7840;Methylcystein,Allylcysteine,0.7840;N8-Acetylspermidine,N6-Acetyl-L-Lys,0.7832;1-Me-His,ADMA,0.7824;1-Me-His,Kynurenine,0.7824;Homocitrulline,Putrescine,0.7824;Kynurenine,Spermidine,0.7824;Kynurenine,N6-Acetyl-L-Lys,0.7816;Sarcosine,Spermidine,0.7816;aABA,Aminoadipic  acid,0.7809;Homocitrulline,Kynurenine,0.7809;Hypotaurine,Allylcysteine,0.7809;N8-Acetylspermidine,Allylcysteine,0.7809;3-Me-His,N8-Acetylspermidine,0.7801;ADMA,Sarcosine,0.7801;Aminoadipic  acid,Sarcosine,0.7801;3-Me-His,ADMA,0.7793;Aminoadipic  acid,Hydroxyproline,0.7793;Aminoadipic  acid,Spermidine,0.7793;Hydroxyproline,Sarcosine,0.7793;1-Me-His,Sarcosine,0.7778;5-HydroxyTrp,Kynurenine,0.7778;aAiBA,Kynurenine,0.7778;Pipecolic  acid,Sarcosine,0.7778;Aminoadipic  acid,bAiBA,0.7770;Hypotaurine,Kynurenine,0.7770;Spermidine,Allylcysteine,0.7770;1-Me-His,Allylcysteine,0.7762;ADMA,Hydroxyproline,0.7762;bAiBA,Hypotaurine,0.7762;1-Me-His,Hydroxyproline,0.7755;Allylcysteine,Propylcysteine,0.7755;ADMA,bAiBA,0.7747;3-Me-His,Kynurenine,0.7739;5-HydroxyTrp,ADMA,0.7739;aABA,ADMA,0.7739;ADMA,Hypotaurine,0.7739;Aminoadipic  acid,Propylcysteine,0.7739;Hypotaurine,Propylcysteine,0.7724;Pipecolic  acid,Propylcysteine,0.7724;1-Me-His,bAiBA,0.7724;Homoarginine,Sarcosine,0.7724;Hydroxyproline,Allylcysteine,0.7724;Sarcosine,Propylcysteine,0.7724;5-HydroxyTrp,Hydroxyproline,0.7716;GABA,Sarcosine,0.7716;ADMA,Aminoadipic  acid,0.7708;Hydroxyproline,Kynurenine,0.7708;aAiBA,Hydroxyproline,0.7701;ADMA,Spermidine,0.7701;Aminoadipic  acid,SAH,0.7701;N8-Acetylspermidine,Sarcosine,0.7701;Putrescine,Sarcosine,0.7701;1-Me-His,Aminoadipic  acid,0.7693;aABA,Kynurenine
,0.7693;ADMA,SAH,0.7693;Aminoadipic  acid,Hypotaurine,0.7693;Aminoadipic  acid,Pipecolic  acid,0.7693;bAiBA,Kynurenine,0.7693;Hypotaurine,Spermidine,0.7693;aAiBA,Hypotaurine,0.7685;Hypotaurine,Pipecolic  acid,0.7685;aAiBA,ADMA,0.7677;Homoarginine,Allylcysteine,0.7677;Hydroxyproline,Spermidine,0.7677;Hydroxyproline,Propylcysteine,0.7677;Kynurenine,Putrescine,0.7677;Kynurenine,Propylcysteine,0.7677;ADMA,Putrescine,0.7670;Aminoadipic  acid,Cadaverine,0.7670;Homoarginine,Hydroxyproline,0.7670;Spermidine,Propylcysteine,0.7670;aAiBA,Aminoadipic  acid,0.7662;ADMA,GABA,0.7662;Aminoadipic  acid,Putrescine,0.7662;bAiBA,Allylcysteine,0.7662;Cadaverine,Sarcosine,0.7662;GABA,Hypotaurine,0.7662;SAH,Allylcysteine,0.7662;5-HydroxyTrp,Pipecolic  acid,0.7654;Aminoadipic  acid,N8-Acetylspermidine,0.7654;GABA,Hydroxyproline,0.7654;1-Me-His,N8-Acetylspermidine,0.7647;5-HydroxyTrp,Allylcysteine,0.7647;bAiBA,Spermidine,0.7647;Hydroxyproline,N8-Acetylspermidine,0.7647;Pipecolic  acid,Spermidine,0.7647;Putrescine,Spermidine,0.7647;ADMA,Homoarginine,0.7639;ADMA,Pipecolic  acid,0.7639;Aminoadipic  acid,Homoarginine,0.7639;aABA,Sarcosine,0.7631;aABA,Allylcysteine,0.7631;ADMA,Cadaverine,0.7631;Aminoadipic  acid,Kynurenine,0.7631;Homoarginine,Hypotaurine,0.7631;Hydroxyproline,Pipecolic  acid,0.7631;Kynurenine,N8-Acetylspermidine,0.7631;Kynurenine,Pipecolic  acid,0.7631;1-Me-His,5-HydroxyTrp,0.7623;ADMA,Kynurenine,0.7623;ADMA,N8-Acetylspermidine,0.7623;Homoarginine,Spermidine,0.7623;Aminoadipic  acid,GABA,0.7616;bAiBA,Propylcysteine,0.7616;Hypotaurine,Putrescine,0.7616;Kynurenine,Sarcosine,0.7616;N8-Acetylspermidine,Spermidine,0.7616;Cadaverine,Hypotaurine,0.7608;Cadaverine,Spermidine,0.7608;Hypotaurine,N8-Acetylspermidine,0.7608;Hydroxyproline,Putrescine,0.7608;Putrescine,Allylcysteine,0.7608;5-HydroxyTrp,Hypotaurine,0.7600;Cadaverine,Hydroxyproline,0.7600;Cadaverine,Allylcysteine,0.7600;SAH,Sarcosine,0.7600;5-HydroxyTrp,Sarcosine,0.7593;aAiBA,Allylcysteine,0.7593;N8-Acetylspermidine,Pipecolic  acid,0.7593;1-Me-His,Hypotaurine,0.7585;aABA,Hydroxyproline,0.7585;aAiBA,Spermidine,0.7585;Hypotaurine,SAH,0.7585;1-Me-His,Propylcysteine,0.7577;GABA,Spermidine,0.7577;GABA,Propylcysteine,0.7577;Hydroxyproline,SAH,0.7569;5-HydroxyTrp,Aminoadipic  acid,0.7562;aAiBA,Propylcysteine,0.7562;Cadaverine,Kynurenine,0.7562;GABA,Kynurenine,0.7562;1-Me-His,Homoarginine,0.7554;aABA,Hypotaurine,0.7554;aAiBA,bAiBA,0.7554;1-Me-His,aAiBA,0.7546;1-Me-His,Spermidine,0.7546;5-HydroxyTrp,aABA,0.7546;aABA,N8-Acetylspermidine,0.7546;aABA,Propylcysteine,0.7546;bAiBA,Pipecolic  acid,0.7546;Homoarginine,Kynurenine,0.7546;N8-Acetylspermidine,Propylcysteine,0.7546;Putrescine,Propylcysteine,0.7546;aAiBA,Pipecolic  acid,0.7539;Cadaverine,Pipecolic  acid,0.7539;SAH,Spermidine,0.7539;5-HydroxyTrp,bAiBA,0.7531;aABA,Homoarginine,0.7531;bAiBA,Cadaverine,0.7531;bAiBA,Homoarginine,0.7531;1-Me-His,aABA,0.7523;5-HydroxyTrp,aAiBA,0.7523;aABA,GABA,0.7523;GABA,Allylcysteine,0.7523;1-Me-His,Pipecolic  acid,0.7515;5-HydroxyTrp,Spermidine,0.7515;aAiBA,Putrescine,0.7515;bAiBA,N8-Acetylspermidine,0.7515;Cadaverine,Propylcysteine,0.7515;1-Me-His,SAH,0.7508;5-HydroxyTrp,Propylcysteine,0.7508;bAiBA,Putrescine,0.7508;Homoarginine,Pipecolic  acid,0.7508;Pipecolic  acid,SAH,0.7508;1-Me-His,GABA,0.7500;aAiBA,N8-Acetylspermidine,0.7492;bAiBA,GABA,0.7492;Homoarginine,Propylcysteine,0.7492;N8-Acetylspermidine,SAH,0.7492;Pipecolic  acid,Putrescine,0.7492;aABA,bAiBA,0.7485;GABA,Pipecolic  acid,0.7485;aAiBA,Homoarginine,0.7477;bAiBA,SAH,0.7477;SAH,Propylcysteine,0.7477;1-Me-His,Putrescine,0.7469;aAiBA,Cadaverine,0.7469;aABA,aAiBA,0.7461;5-HydroxyTrp,N8-Acetylspermidine,0.7438;aABA,Cadaverine,0.7438;aABA,Spermidine,0.7438;Cadaverine,N8-Acetylspermidine,0.7438;GABA,N8-Acetylspermidine,0.7438;Homoarginine,N8-Acetylspermidine,0.7438;1-Me-His,Cadaverine,0.7431;5-HydroxyTrp,Homoarginine,0.7431;aABA,Putrescine,0.7431;5-HydroxyTrp,SAH,0.7423;aAiBA,GABA,0.7423;5-HydroxyTrp,Putrescine,0.7415;aABA,Pipecolic  acid,0.7415;aAiBA,SAH,0.7415;Cadaverine,Putrescine,0.7415;Homoarginine,Putrescine,0.7415;Cadaverine,GABA,0.7400;GABA,Homoarginine,0.7400;5-HydroxyTrp,GABA,0.7392;Cadaverine,Homoarginine,0.7392;N8-Acetylspermidine,Putrescine,0.7392;GABA,Putrescine,0.7384
【図１】
2019184257.tif 000004
【図２】
2019184257.tif 000005
【図３】
2019184257.tif 000006
【図４】
2019184257.tif 000007
【図５】
2019184257.tif 000008
【図６】
2019184257.tif 000009
【図７】
2019184257.tif 000010
【図８】
2019184257.tif 000011
【図９】
2019184257.tif 000012
【図１０】
2019184257.tif 000013
【図１１】
2019184257.tif 000014
【図１２】
2019184257.tif 000015
【図１３】
2019184257.tif 000016